(57)【特許請求の範囲】
【請求項１】
セル間干渉を処理する方法であって、前記方法は第１の基地局に適用され、前記第１の基地局は第１のセルを管理し、
前記方法は、
前記第１のセルの隣接セルの第１の時間間隔におけるリソーススケジューリング情報を取得するステップであって、前記リソーススケジューリング情報は、前記隣接セルの前記第１の時間間隔におけるリソーススケジューリング結果を表すのに用いられる、ステップと、
取得された前記第１の時間間隔の前記リソーススケジューリング情報に従って、前記第１のセルのセル間干渉の干渉レベルを決定するステップと、
前記第１のセルの第２の時間間隔におけるセル間干渉値を測定するステップであって、前記第２の時間間隔は前記第１の時間間隔よりも遅延し、前記第２の時間間隔は、前記第１の時間間隔における前記リソーススケジューリング情報に基づいて、前記第１のセルの前記隣接セルによって実際にデータが送信される時間間隔である、ステップと、
前記第１の時間間隔における前記リソーススケジューリング情報に従って決定された前記干渉レベルをインデックスとして用いて、前記第１のセルの前記第２の時間間隔における測定された前記セル間干渉値を記憶するステップであって、前記第１の時間間隔における前記リソーススケジューリング情報に従って決定された前記干渉レベルと、前記第２の時間間隔において測定によって取得された前記第１のセルの前記セル間干渉値との相関を、確立し記憶することを含む、ステップと、
を含む方法。
【請求項２】
前記第１のセルの隣接セルの第１の時間間隔におけるリソーススケジューリング情報を取得する前記ステップは、
要求メッセージを第２の基地局に送信し、前記第２の基地局によって管理されるセルは前記第１のセルの前記隣接セルを含む、ステップと、前記第２の基地局によって送信される、前記第１のセルの前記隣接セルの前記第１の時間間隔における前記リソーススケジューリング情報を受信するステップ、又は、
第２のセルの前記第１の時間間隔におけるリソーススケジューリング情報を読み取るステップであって、前記第１の基地局は前記第２のセルを管理し、前記第２のセルは前記第１のセルの前記隣接セルである、ステップ、
を含む、請求項１に記載の方法。
【請求項３】
前記隣接セルの前記第１の時間間隔における前記リソーススケジューリング結果は、第１のリソース位置においてユーザがスケジュールされていること、又は、第１のリソース位置においてユーザがスケジュールされていないことを含み、前記隣接セルの前記第１のリソース位置と前記第１のセルの前記第１のリソース位置は同じリソース位置を示し、
取得された前記第１の時間間隔の前記リソーススケジューリング情報に従って、前記第１のセルのセル間干渉の干渉レベルを決定する前記ステップは、
前記第１のリソース位置においてユーザがスケジュールされている隣接セルの数に従って、前記第１のセルの前記セル間干渉の前記干渉レベルを決定するステップ、又は、
前記第１のリソース位置においてユーザがスケジュールされていない隣接セルの数に従って、前記第１のセルの前記セル間干渉の前記干渉レベルを決定するステップ、
を含む、請求項１又は２に記載の方法。
【請求項４】
前記隣接セルの前記第１の時間間隔における前記リソーススケジューリング結果が、前記第１のリソース位置においてユーザがスケジュールされていることであり、スケジュールされている前記ユーザが強干渉ユーザである場合、
前記第１のリソース位置においてユーザがスケジュールされている隣接セルの数に従って、前記第１のセルの前記セル間干渉の前記干渉レベルを決定する前記ステップは、
前記第１のリソース位置において強干渉ユーザがスケジュールされている隣接セルの数に従って、前記第１のセルの前記セル間干渉の前記干渉レベルを決定するステップ、
を含み、
前記強干渉ユーザは、前記隣接セルを管理する基地局により、前記隣接セルのセル品質と、前記第１のセルのセル品質と、閾値とに従って決定され、前記隣接セルの前記セル品質はユーザ機器によって測定される、
請求項３に記載の方法。
【請求項５】
前記第１のセルの前記隣接セルの第３の時間間隔におけるリソーススケジューリング情報を取得するステップであって、前記リソーススケジューリング情報は、前記隣接セルの前記第３の時間間隔におけるリソーススケジューリング結果を表すのに用いられる、ステップと、
取得された前記第３の時間間隔における前記リソーススケジューリング情報に従って、前記第１のセルのセル間干渉の干渉レベルを決定するステップと、
前記第１のセルの第４の時間間隔におけるセル間干渉値を測定するステップであって、前記第４の時間間隔は前記第３の時間間隔よりも遅延し、前記第４の時間間隔は、前記第３の時間間隔における前記リソーススケジューリング情報に基づいて、前記第１のセルの前記隣接セルによって実際にデータが送信される時間間隔である、ステップと、
前記第３の時間間隔における前記リソーススケジューリング情報に従って決定された前記干渉レベルをインデックスとして用いて、前記第１のセルの前記第４の時間間隔における測定された前記セル間干渉値を記憶するステップであって、前記第３の時間間隔における前記リソーススケジューリング情報に従って決定された前記干渉レベルと、前記第４の時間間隔において測定によって取得された前記第１のセルの前記セル間干渉値との相関を、確立し記憶することを含む、ステップと、
を更に含む、請求項１乃至４のいずれか１項に記載の方法。
【請求項６】
前記第１の時間間隔における前記リソーススケジューリング情報に従って決定された前記干渉レベルが、前記第３の時間間隔における前記リソーススケジューリング情報に従って決定された前記干渉レベルと同じであるとき、
前記第１のセルの前記第２の時間間隔における測定された前記セル間干渉値と、前記第１のセルの前記第４の時間間隔における測定された前記セル間干渉値とに従って、前記第１のセルの前記セル間干渉値の統計値を計算し記憶するステップ、又は、
前記第１のセルの前記第２の時間間隔における測定された前記セル間干渉値を削除するステップであって、前記第４の時間間隔は前記第２の時間間隔よりも遅い、ステップ、
を更に含む、請求項５に記載の方法。
【請求項７】
セル間干渉を処理するための機器であって、前記機器は第１の基地局に適用され、前記第１の基地局は第１のセルを管理し、
前記機器は、
前記第１のセルの隣接セルの第１の時間間隔におけるリソーススケジューリング情報を取得するように構成される取得モジュールであって、前記リソーススケジューリング情報は、前記隣接セルの前記第１の時間間隔におけるリソーススケジューリング結果を表すのに用いられる、取得モジュールと、
取得された前記第１の時間間隔の前記リソーススケジューリング情報に従って、前記第１のセルのセル間干渉の干渉レベルを決定するように構成される決定モジュールと、
前記第１のセルの第２の時間間隔におけるセル間干渉値を測定するように構成される測定モジュールであって、前記第２の時間間隔は前記第１の時間間隔よりも遅延し、前記第２の時間間隔は、前記第１の時間間隔における前記リソーススケジューリング情報に基づいて、前記第１のセルの前記隣接セルによって実際にデータが送信される時間間隔である、測定モジュールと、
前記第１の時間間隔における前記リソーススケジューリング情報に従って決定された前記干渉レベルをインデックスとして用いて、前記第１のセルの前記第２の時間間隔における測定された前記セル間干渉値を記憶するように構成される記憶モジュールであって、更に、前記第１の時間間隔における前記リソーススケジューリング情報に従って決定された前記干渉レベルと、前記第２の時間間隔において測定によって取得された前記第１のセルの前記セル間干渉値との相関を、確立し記憶するように構成される、記憶モジュールと、
を備える、機器。
【請求項８】
前記取得モジュールは、具体的には、要求メッセージを第２の基地局に送信するように構成され、前記第２の基地局によって管理されるセルは前記第１のセルの前記隣接セルを含み、且つ、前記第１のセルの前記隣接セルの前記第１の時間間隔における前記リソーススケジューリング情報を受信するように構成され、前記リソーススケジューリング情報は前記第２の基地局によって送信され、又は、
第２のセルの前記第１の時間間隔におけるリソーススケジューリング情報を読み取るように構成され、前記第１の基地局は前記第２のセルを管理し、前記第２のセルは前記第１のセルの前記隣接セルである、
請求項７に記載の機器。
【請求項９】
前記隣接セルの前記第１の時間間隔における前記リソーススケジューリング結果は、第１のリソース位置においてユーザがスケジュールされていること、又は、第１のリソース位置においてユーザがスケジュールされていないことを含み、前記隣接セルの前記第１のリソース位置と前記第１のセルの前記第１のリソース位置は同じリソース位置を示し、
前記決定モジュールは、具体的には、前記第１のリソース位置においてユーザがスケジュールされている隣接セルの数に従って、前記第１のセルの前記セル間干渉の前記干渉レベルを決定するように構成され、又は、
前記第１のリソース位置においてユーザがスケジュールされていない隣接セルの数に従って、前記第１のセルの前記セル間干渉の前記干渉レベルを決定するように構成される、
請求項７又は８に記載の機器。
【請求項１０】
前記隣接セルの前記第１の時間間隔における前記リソーススケジューリング結果が、前記第１のリソース位置においてユーザがスケジュールされていることであり、スケジュールされている前記ユーザが強干渉ユーザである場合、
前記決定モジュールは、具体的には、前記第１のリソース位置において強干渉ユーザがスケジュールされている隣接セルの数に従って、前記第１のセルの前記セル間干渉の前記干渉レベルを決定するように構成され、
前記強干渉ユーザは、前記隣接セルを管理する基地局により、前記隣接セルのセル品質と、前記第１のセルのセル品質と、閾値とに従って決定され、前記隣接セルの前記セル品質はユーザ機器によって測定される、
請求項９に記載の機器。
【請求項１１】
前記取得モジュールは更に、前記第１のセルの前記隣接セルの第３の時間間隔におけるリソーススケジューリング情報を取得するように構成され、前記リソーススケジューリング情報は、前記隣接セルの前記第３の時間間隔におけるリソーススケジューリング結果を表すのに用いられ、
前記決定モジュールは更に、取得された前記第３の時間間隔における前記リソーススケジューリング情報に従って、前記第１のセルのセル間干渉の干渉レベルを決定するように構成され、
前記測定モジュールは更に、前記第１のセルの第４の時間間隔におけるセル間干渉値を測定するように構成され、前記第４の時間間隔は前記第３の時間間隔よりも遅延し、前記第４の時間間隔は、前記第３の時間間隔における前記リソーススケジューリング情報に基づいて、前記第１のセルの前記隣接セルによって実際にデータが送信される時間間隔である、
前記記憶モジュールは更に、前記第３の時間間隔における前記リソーススケジューリング情報に従って決定された前記干渉レベルをインデックスとして用いて、前記第１のセルの前記第４の時間間隔における測定された前記セル間干渉値を記憶するように構成され、更に、前記第３の時間間隔における前記リソーススケジューリング情報に従って決定された前記干渉レベルと、前記第４の時間間隔において測定によって取得された前記第１のセルの前記セル間干渉値との相関を、確立し記憶するように構成される、
請求項７乃至１０のいずれか１項に記載の機器。
【請求項１２】
前記記憶モジュールは更に、前記第１の時間間隔における前記リソーススケジューリング情報に従って決定された前記干渉レベルが、前記第３の時間間隔における前記リソーススケジューリング情報に従って決定された前記干渉レベルと同じであるとき、前記第１のセルの前記第２の時間間隔における測定された前記セル間干渉値と、前記第１のセルの前記第４の時間間隔における測定された前記セル間干渉値とに従って、前記第１のセルの前記セル間干渉値の統計値を計算し記憶するように構成されるか、又は、
前記第１のセルの前記第２の時間間隔における測定された前記セル間干渉値を削除するように構成され、前記第４の時間間隔は前記第２の時間間隔よりも遅い、
請求項１１に記載の機器。
【請求項１３】
制御装置であって、前記制御装置は第１の基地局に適用され、前記第１の基地局は第１のセルを管理し、
前記制御装置は、プロセッサ、通信リンク及びメモリを備え、
前記プロセッサは、前記通信リンクを用いて前記メモリと通信し、
前記メモリは命令又はコードを記憶し、前記命令又はコードが前記プロセッサにおいて実行されるとき、前記制御装置は、請求項１乃至６のいずれか１項に記載の方法を実行するように前記第１の基地局を制御するように構成される、
制御装置。
【請求項１４】
基地局であって、前記基地局は第１のセルを管理し、
前記基地局は、請求項１乃至６のいずれか１項に記載の方法を実行するように構成される、
基地局。
【請求項１５】
コンピュータプログラムであって、
前記コンピュータプログラムはコンピュータプログラムコードを含み、前記コンピュータプログラムコードが処理ユニットによって実行されると、前記処理ユニットは、請求項１乃至６のいずれか１項に記載の方法を実行する、
コンピュータプログラム。
【発明の詳細な説明】
【技術分野】
【０００１】
本願は、２０１４年１０月３１日に中国特許庁に提出された、「セル間干渉を処理するための方法、機器、制御装置及び基地局」と題された中国特許出願第２０１４１０６０８０２５．Ｘ号に対する優先権を主張し、その全体が参照により本明細書に組み込まれる。
【０００２】
本発明は、無線通信技術の分野に関し、特に、セル間干渉を処理するための方法、機器、制御装置及び基地局に関する。
【背景技術】
【０００３】
ロングタームエボリューション（Long  Term  Evolution；略してＬＴＥ）システムでは、アップリンクスケジューリングが行われるとき、ユーザ機器は、基地局にサウンディング参照信号（英語：Sounding  Reference  Signal；略してＳＲＳ）を送信する。基地局は、ＳＲＳを受信した時点で決定されたアップリンクチャネル品質に従って、アップリンク伝送中のセルの信号対干渉雑音比（英語：Signal  to  Interference  plus  Noise  Ratio；略してＳＩＮＲ）を推定し、スケジューリング時点でユーザ機器のためのアップリンク伝送リソースをスケジュールし、アップリンク伝送時にユーザ機器によって用いられる変調・符号化スキームを決定する。
【０００４】
一般に、ＳＲＳを受信した時点で決定されたアップリンクチャネル品質は、アップリンク伝送時にセルのＳＩＮＲを推定するために直接用いることができる。しかしながら、ＳＲＳを受信した時点とスケジューリング時点とアップリンク伝送時点との間に時間遅延が存在することを考慮すれば、ＳＲＳを受信した時点で決定されたアップリンクチャネル品質とアップリンク伝送時の実際のアップリンクチャネル品質との間に相当の誤差が存在する可能性がある。結果として、セルの推定ＳＩＮＲの精度が比較的低く、アップリンクスケジューリングの性能が影響を受けてしまう。したがって、ＳＲＳを受信した時点で決定されたチャネル品質に基づいて、アップリンク伝送時のチャネル品質を予測し、セルの推定ＳＩＮＲの精度を向上させることができる。
【０００５】
研究時、従来技術には以下の不利益があった。すなわち、セルのＳＩＮＲはチャネル品質に関係するだけでなく、セル間干渉にも関係する。異なる時点でセル間干渉が大きく変動する場合、ＳＲＳを受信した時点で決定されたチャネル品質に基づいてアップリンク伝送時のチャネル品質を予測しても、セルの推定ＳＩＮＲが不正確になるおそれがある。
【発明の概要】
【０００６】
これに鑑みて、本発明の実施形態は、セル間干渉の変動によって生じるＳＩＮＲ推定精度に対する影響を軽減するために、セル間干渉を処理する方法、機器、制御装置及び基地局を提供する。
【０００７】
本発明の第１の態様によれば、セル間干渉を処理する方法が提供される。本方法は第１の基地局に適用され、第１の基地局は第１のセルを管理する。本方法は、
第１のセルの隣接セルの第１の時間間隔におけるリソーススケジューリング情報を取得するステップであって、リソーススケジューリング情報は、隣接セルの第１の時間間隔におけるリソーススケジューリング結果を表すのに用いられる、ステップと、
取得された第１の時間間隔のリソーススケジューリング情報に従って、第１のセルのセル間干渉の干渉レベルを決定するステップと、
第１のセルの第２の時間間隔におけるセル間干渉値を測定するステップであって、第２の時間間隔は第１の時間間隔よりも遅い、ステップと、
第１の時間間隔におけるリソーススケジューリング情報に従って決定された干渉レベルをインデックスとして用いて、第１のセルの第２の時間間隔における測定されたセル間干渉値を記憶するステップと、
を含む。
【０００８】
本発明の第１の態様の可能な実施方式に関して、第１の可能な実施方式では、第１のセルの隣接セルの第１の時間間隔におけるリソーススケジューリング情報を取得するステップは、
要求メッセージを第２の基地局に送信するステップであって、第２の基地局によって管理されるセルは、第１のセルの隣接セルを含む、ステップと、第１のセルの隣接セルの第１の時間間隔におけるリソーススケジューリング情報を受信するステップであって、リソーススケジューリング情報は第２の基地局によって送信される、ステップ、又は、
第２のセルの第１の時間間隔におけるリソーススケジューリング情報を読み取るステップであって、第１の基地局は第２のセルを管理し、第２のセルは第１のセルの隣接セルである、ステップ、
を含む。
【０００９】
本発明の第１の態様の可能な実施方式に関して、又は、本発明の第１の態様の第１の可能な実施方式に関して、第２の可能な実施方式では、隣接セルの第１の時間間隔におけるリソーススケジューリング結果は、第１のリソース位置においてユーザがスケジュールされていること、又は、第１のリソース位置においてユーザがスケジュールされていないことを含み、隣接セルの第１のリソース位置と第１のセルの第１のリソース位置は同じリソース位置を示し、
取得された第１の時間間隔のリソーススケジューリング情報に従って、第１のセルのセル間干渉の干渉レベルを決定するステップは、
第１のリソース位置においてユーザがスケジュールされている隣接セルの数に従って、第１のセルのセル間干渉の干渉レベルを決定するステップ、又は、
第１のリソース位置においてユーザがスケジュールされていない隣接セルの数に従って、第１のセルのセル間干渉の干渉レベルを決定するステップ、
を含む。
【００１０】
本発明の第１の態様の第２の可能な実施方式に関して、第３の可能な実施方式では、隣接セルの第１の時間間隔におけるリソーススケジューリング結果が、第１のリソース位置においてユーザがスケジュールされていることであり、スケジュールされているユーザが強干渉ユーザである場合、
第１のリソース位置においてユーザがスケジュールされている隣接セルの数に従って、第１のセルのセル間干渉の干渉レベルを決定するステップは、
第１のリソース位置において強干渉ユーザがスケジュールされている隣接セルの数に従って、第１のセルのセル間干渉の干渉レベルを決定するステップ、
を含む。強干渉ユーザは、隣接セルを管理する基地局により、隣接セルのセル品質と、第１のセルのセル品質と、閾値とに従って決定される。隣接セルのセル品質はユーザ機器によって測定される。
【００１１】
本発明の第１の態様の可能な実施方式に関して、又は、本発明の第１の態様の第１の可能な実施方式に関して、又は、本発明の第１の態様の第２の可能な実施方式に関して、又は、本発明の第１の態様の第３の可能な実施方式に関して、第４の可能な実施方式では、本方法は更に、
第１のセルの隣接セルの第３の時間間隔におけるリソーススケジューリング情報を取得するステップであって、リソーススケジューリング情報は、隣接セルの第３の時間間隔におけるリソーススケジューリング結果を表すのに用いられる、ステップと、
取得された第３の時間間隔におけるリソーススケジューリング情報に従って、第１のセルのセル間干渉の干渉レベルを決定するステップと、
第１のセルの第４の時間間隔におけるセル間干渉値を測定するステップであって、第４の時間間隔は第３の時間間隔よりも遅い、ステップと、
干渉レベルをインデックスとして用いて、第１のセルの第４の時間間隔における測定されたセル間干渉値を記憶するステップであって、干渉レベルは第３の時間間隔におけるリソーススケジューリング情報に従って決定される、ステップと、
を含む。
【００１２】
本発明の第１の態様の第４の可能な実施方式に関して、第５の可能な実施方式では、第１の時間間隔におけるリソーススケジューリング情報に従って決定された干渉レベルが、第３の時間間隔におけるリソーススケジューリング情報に従って決定された干渉レベルと同じであるとき、本方法は更に、
第１のセルの第２の時間間隔における測定されたセル間干渉値と、第１のセルの第４の時間間隔における測定されたセル間干渉値とに従って、第１のセルのセル間干渉値の統計値を計算し記憶するステップ、又は、
第１のセルの第２の時間間隔における測定されたセル間干渉値を削除するステップであって、第４の時間間隔は第２の時間間隔よりも遅い、ステップ、
を含む。
【００１３】
本発明の第２の態様によれば、セル間干渉を処理する方法が提供される。方法は第１の基地局に適用され、第１の基地局は第１のセルを管理する。本方法は、
第１のセルの隣接セルの第１の時間間隔におけるリソーススケジューリング情報を取得するステップであって、リソーススケジューリング情報は、隣接セルの第１の時間間隔におけるリソーススケジューリング結果を表すのに用いられる、ステップと、
取得された第１の時間間隔のリソーススケジューリング情報に従って、第１のセルのセル間干渉の干渉レベルを決定するステップと、
第１の時間間隔におけるリソーススケジューリング情報に従って決定された干渉レベルに従って、第１のセルの記憶されている過去に測定されたセル間干渉値を読み取るステップと、
第１のセルの読み取られた過去に測定されたセル間干渉値を用いて、第１のセルの第２の時間間隔におけるセル間干渉を推定するステップであって、第２の時間間隔は第１の時間間隔よりも遅い、ステップと、
を含む。
【００１４】
本発明の第２の態様の可能な実施方式に関して、第１の可能な実施方式では、第１のセルの記憶された過去に測定されたセル間干渉値は、
第１の基地局が１つ以上の過去の時間間隔において測定した第１のセルのセル間干渉値を含み、セル間干渉値は、第１の時間間隔におけるリソーススケジューリング情報に従って決定された干渉レベルと同じ干渉レベルをインデックスとして用いて、第１の基地局に予め記憶されており、１つ以上の過去の時間間隔は全て第２の時間間隔よりも早く、又は、
複数の過去の時間間隔において測定された第１のセルのセル間干渉値に従って第１の基地局によって計算され記憶される、第１のセルのセル間干渉値の統計値を含み、第１のセルのセル間干渉値の統計値は、第１の時間間隔におけるリソーススケジューリング情報に従って決定された干渉レベルと同じ干渉レベルをインデックスとして用いて、第１の基地局に予め記憶されており、複数の過去の時間間隔は全て第２の時間間隔よりも早い。
【００１５】
本発明の第２の態様の可能な実施方式に関して、又は、本発明の第２の態様の第１の可能な実施方式に関して、第２の可能な実施方式では、第１のセルの隣接セルの第１の時間間隔におけるリソーススケジューリング情報を取得するステップは、
要求メッセージを第２の基地局に送信するステップであって、第２の基地局によって管理されるセルは、第１のセルの隣接セルを含む、ステップと、第１のセルの隣接セルの第１の時間間隔におけるリソーススケジューリング情報を受信するステップであって、リソーススケジューリング情報は第２の基地局によって送信される、ステップ、又は、
第２のセルのリソーススケジューリング情報を読み取るステップであって、第１の基地局は第２のセルを管理し、第２のセルは第１のセルの隣接セルである、ステップ、
を含む。
【００１６】
本発明の第２の態様の可能な実施方式に関して、又は、本発明の第２の態様の第１の可能な実施方式に関して、又は、本発明の第２の態様の第２の可能な実施方式に関して、第３の可能な実施方式では、隣接セルの第１の時間間隔におけるリソーススケジューリング結果は、第１のリソース位置においてユーザがスケジュールされていること、又は、第１のリソース位置においてユーザがスケジュールされていないことを含み、隣接セルの第１のリソース位置と第１のセルの第１のリソース位置は同じリソース位置を示し、
取得された第１の時間間隔のリソーススケジューリング情報に従って、第１のセルのセル間干渉の干渉レベルを決定するステップは、
第１のリソース位置においてユーザがスケジュールされている隣接セルの数に従って、第１のセルのセル間干渉の干渉レベルを決定するステップ、又は、
第１のリソース位置においてユーザがスケジュールされていない隣接セルの数に従って、第１のセルのセル間干渉の干渉レベルを決定するステップ、
を含む。
【００１７】
本発明の第２の態様の第３の可能な実施方式に関して、第４の可能な実施方式では、隣接セルの第１の時間間隔におけるリソーススケジューリング結果が、第１のリソース位置においてユーザがスケジュールされていることであり、スケジュールされているユーザが強干渉ユーザである場合、
第１のリソース位置においてユーザがスケジュールされている隣接セルの数に従って、第１のセルのセル間干渉の干渉レベルを決定するステップは、
第１のリソース位置において強干渉ユーザがスケジュールされている隣接セルの数に従って、第１のセルのセル間干渉の干渉レベルを決定するステップ、
を含む。強干渉ユーザは、隣接セルを管理する基地局により、隣接セルのセル品質と、第１のセルのセル品質と、閾値とに従って決定される。隣接セルのセル品質はユーザ機器によって測定される。
【００１８】
本発明の第２の態様の可能な実施方式に関して、又は、本発明の第２の態様の第１の可能な実施方式に関して、又は、本発明の第２の態様の第２の可能な実施方式に関して、又は、本発明の第２の態様の第３の可能な実施方式に関して、又は、本発明の第２の態様の第４の可能な実施方式に関して、第５の可能な実施方式では、本方法は更に、
推定された第１のセルの第２の時間間隔におけるセル間干渉に従って、第１のリソース位置において、第１のセルの第２の時間間隔における信号対干渉雑音比を計算するステップ、
を含む。
【００１９】
本発明の第２の態様の第５の可能な実施方式に関して、第６の可能な実施方式では、本方法は更に、
計算された第１のセルの第２の時間間隔における信号対干渉雑音比に従って、第１のセルの第１のリソース位置においてユーザをスケジュールするか否かを決定するステップ、又は、
計算された第１のセルの信号対干渉雑音比に従って、第１のセルの第１のリソース位置にスケジュールされたユーザの変調・符号化スキームを調整するか否かを決定するステップ、
を含む。
【００２０】
本発明の第３の態様によれば、セル間干渉を処理するための機器が提供される。本機器は第１の基地局に適用され、第１の基地局は第１のセルを管理する。本機器は、
第１のセルの隣接セルの第１の時間間隔におけるリソーススケジューリング情報を取得するように構成される取得モジュールであって、リソーススケジューリング情報は、隣接セルの第１の時間間隔におけるリソーススケジューリング結果を表すのに用いられる、取得モジュールと、
取得された第１の時間間隔のリソーススケジューリング情報に従って、第１のセルのセル間干渉の干渉レベルを決定するように構成される決定モジュールと、
第１のセルの第２の時間間隔におけるセル間干渉値を測定するように構成される測定モジュールであって、第２の時間間隔は第１の時間間隔よりも遅い、測定モジュールと、
第１の時間間隔におけるリソーススケジューリング情報に従って決定された干渉レベルをインデックスとして用いて、第１のセルの第２の時間間隔における測定されたセル間干渉値を記憶するように構成される記憶モジュールと、
を備える。
【００２１】
本発明の第３の態様の可能な実施方式に関して、第１の可能な実施方式では、取得モジュールは、具体的には、要求メッセージを第２の基地局に送信するように構成され、第２の基地局によって管理されるセルは、第１のセルの隣接セルを含み、且つ、第１のセルの隣接セルの第１の時間間隔におけるリソーススケジューリング情報を受信するように構成され、リソーススケジューリング情報は第２の基地局によって送信され、又は、
第２のセルの第１の時間間隔におけるリソーススケジューリング情報を読み取るように構成され、第１の基地局は第２のセルを管理し、第２のセルは第１のセルの隣接セルである。
【００２２】
本発明の第３の態様の可能な実施方式に関して、又は、本発明の第３の態様の第１の可能な実施方式に関して、第２の可能な実施方式では、隣接セルの第１の時間間隔におけるリソーススケジューリング結果は、第１のリソース位置においてユーザがスケジュールされていること、又は、第１のリソース位置においてユーザがスケジュールされていないことを含み、隣接セルの第１のリソース位置と第１のセルの第１のリソース位置は同じリソース位置を示し、
決定モジュールは、具体的には、第１のリソース位置においてユーザがスケジュールされている隣接セルの数に従って、第１のセルのセル間干渉の干渉レベルを決定するように構成され、又は、
第１のリソース位置においてユーザがスケジュールされていない隣接セルの数に従って、第１のセルのセル間干渉の干渉レベルを決定するように構成される。
【００２３】
本発明の第３の態様の第２の可能な実施方式に関して、第３の可能な実施方式では、隣接セルの第１の時間間隔におけるリソーススケジューリング結果が、第１のリソース位置においてユーザがスケジュールされていることであり、スケジュールされているユーザが強干渉ユーザである場合、
決定モジュールは、具体的には、第１のリソース位置において強干渉ユーザがスケジュールされている隣接セルの数に従って、第１のセルのセル間干渉の干渉レベルを決定するように構成され、
強干渉ユーザは、隣接セルを管理する基地局により、隣接セルのセル品質と、第１のセルのセル品質と、閾値とに従って決定され、隣接セルのセル品質はユーザ機器によって測定される。
【００２４】
本発明の第３の態様の可能な実施方式に関して、又は、本発明の第３の態様の第１の可能な実施方式に関して、又は、本発明の第３の態様の第２の可能な実施方式に関して、又は、本発明の第３の態様の第３の可能な実施方式に関して、第４の可能な実施方式では、取得モジュールは更に、第１のセルの隣接セルの第３の時間間隔におけるリソーススケジューリング情報を取得するように構成される。リソーススケジューリング情報は、隣接セルの第３の時間間隔におけるリソーススケジューリング結果を表すのに用いられ、
決定モジュールは更に、取得された第３の時間間隔におけるリソーススケジューリング情報に従って、第１のセルのセル間干渉の干渉レベルを決定するように構成され、
測定モジュールは更に、第１のセルの第４の時間間隔におけるセル間干渉値を測定するように構成され、第４の時間間隔は第３の時間間隔よりも遅く、
記憶モジュールは更に、干渉レベルをインデックスとして用いて、第１のセルの第４の時間間隔における測定されたセル間干渉値を記憶するように構成され、干渉レベルは第３の時間間隔におけるリソーススケジューリング情報に従って決定される。
【００２５】
本発明の第３の態様の第４の可能な実施方式に関して、第５の可能な実施方式では、記憶モジュールは更に、第１の時間間隔におけるリソーススケジューリング情報に従って決定された干渉レベルが、第３の時間間隔におけるリソーススケジューリング情報に従って決定された干渉レベルと同じであるとき、第１のセルの第２の時間間隔における測定されたセル間干渉値と、第１のセルの第４の時間間隔における測定されたセル間干渉値とに従って、第１のセルのセル間干渉値の統計値を計算し記憶するように構成され、又は、
第１のセルの第２の時間間隔における測定されたセル間干渉値を削除するように構成され、第４の時間間隔は第２の時間間隔よりも遅い。
【００２６】
本発明の第４の態様によれば、セル間干渉を処理するための機器が提供される。本機器は第１の基地局に適用され、第１の基地局は第１のセルを管理する。本機器は、
第１のセルの隣接セルの第１の時間間隔におけるリソーススケジューリング情報を取得するように構成される取得モジュールであって、リソーススケジューリング情報は、隣接セルの第１の時間間隔におけるリソーススケジューリング結果を表すのに用いられる、取得モジュールと、
取得された第１の時間間隔のリソーススケジューリング情報に従って、第１のセルのセル間干渉の干渉レベルを決定するように構成される決定モジュールと、
第１の時間間隔におけるリソーススケジューリング情報に従って決定された干渉レベルに従って、第１のセルの記憶されている過去に測定されたセル間干渉値を読み取り、第１のセルの読み取られた過去に測定されたセル間干渉値を用いて、第１のセルの第２の時間間隔におけるセル間干渉を推定するように構成される処理モジュールであって、第２の時間間隔は第１の時間間隔よりも遅い、処理モジュールと、
を備える。
【００２７】
本発明の第４の態様の可能な実施方式に関して、第１の可能な実施方式では、第１のセルの記憶された過去に測定されたセル間干渉値は、
１つ以上の過去の時間間隔において測定された第１のセルのセル間干渉値を含み、セル間干渉値は、第１の時間間隔におけるリソーススケジューリング情報に従って決定された干渉レベルと同じ干渉レベルをインデックスとして用いて、機器に予め記憶されており、１つ以上の過去の時間間隔は全て第２の時間間隔よりも早く、又は、
複数の過去の時間間隔において測定された第１のセルのセル間干渉値に従って計算され記憶される、第１のセルのセル間干渉値の統計値を含み、第１のセルのセル間干渉値の統計値は、第１の時間間隔におけるリソーススケジューリング情報に従って決定された干渉レベルと同じ干渉レベルをインデックスとして用いて、機器に記憶されており、複数の過去の時間間隔は全て第２の時間間隔よりも早い。
【００２８】
本発明の第４の態様の可能な実施方式に関して、又は、本発明の第４の態様の第１の可能な実施方式に関して、第２の可能な実施方式では、取得モジュールは、具体的には、要求メッセージを第２の基地局に送信するように構成され、第２の基地局によって管理されるセルは、第１のセルの隣接セルを含み、且つ、第１のセルの隣接セルの第１の時間間隔におけるリソーススケジューリング情報を受信するように構成され、リソーススケジューリング情報は第２の基地局によって送信され、又は、
第２のセルのリソーススケジューリング情報を読み取るように構成され、第１の基地局は第２のセルを管理し、第２のセルは第１のセルの隣接セルである。
【００２９】
本発明の第４の態様の可能な実施方式に関して、又は、本発明の第４の態様の第１の可能な実施方式に関して、又は、本発明の第４の態様の第２の可能な実施方式に関して、第３の可能な実施方式では、隣接セルの第１の時間間隔におけるリソーススケジューリング結果は、第１のリソース位置においてユーザがスケジュールされていること、又は、第１のリソース位置においてユーザがスケジュールされていないことを含み、隣接セルの第１のリソース位置と第１のセルの第１のリソース位置は同じリソース位置を示し、
決定モジュールは、具体的には、第１のリソース位置においてユーザがスケジュールされている隣接セルの数に従って、第１のセルのセル間干渉の干渉レベルを決定するように構成され、又は、
第１のリソース位置においてユーザがスケジュールされていない隣接セルの数に従って、第１のセルのセル間干渉の干渉レベルを決定する。
【００３０】
本発明の第４の態様の第３の可能な実施方式に関して、第４の可能な実施方式では、隣接セルの第１の時間間隔におけるリソーススケジューリング結果が、第１のリソース位置においてユーザがスケジュールされていることであり、スケジュールされているユーザが強干渉ユーザである場合、
決定モジュールは、具体的には、第１のリソース位置において強干渉ユーザがスケジュールされている隣接セルの数に従って、第１のセルのセル間干渉の干渉レベルを決定するように構成され、
強干渉ユーザは、隣接セルを管理する基地局により、隣接セルのセル品質と、第１のセルのセル品質と、閾値とに従って決定され、隣接セルのセル品質はユーザ機器によって測定される。
【００３１】
本発明の第４の態様の可能な実施方式に関して、又は、本発明の第４の態様の第１の可能な実施方式に関して、又は、本発明の第４の態様の第２の可能な実施方式に関して、又は、本発明の第４の態様の第３の可能な実施方式に関して、又は、本発明の第４の態様の第４の可能な実施方式に関して、第５の可能な実施方式では、本機器は更に計算モジュールを備え、
計算モジュールは、推定された第１のセルの第２の時間間隔におけるセル間干渉に従って、第１のリソース位置において、第１のセルの第２の時間間隔における信号対干渉雑音比を計算するように構成される。
【００３２】
本発明の第４の態様の第５の可能な実施方式に関して、第６の可能な実施方式では、本機器は更に調整モジュールを備え、
調整モジュールは、計算された第１のセルの第２の時間間隔における信号対干渉雑音比に従って、第１のセルの第１のリソース位置においてユーザをスケジュールするか否かを決定するように構成され、又は、
計算された第１のセルの信号対干渉雑音比に従って、第１のセルの第１のリソース位置にスケジュールされたユーザの変調・符号化スキームを調整するか否かを決定するように構成される。
【００３３】
本発明の第５の態様によれば、制御装置が提供される。本制御装置は第１の基地局に適用され、第１の基地局は第１のセルを管理する。本制御装置は、
プロセッサ、通信リンク及びメモリを備える。プロセッサは、通信リンクを用いてメモリと通信し、
メモリは命令又はコードを記憶し、命令又はコードがプロセッサにおいて実行されるとき、本制御装置は、第１の態様に記載の方法を実行するように第１の基地局を制御するように構成され、又は、本制御装置は、第２の態様に記載の方法を実行するように第１の基地局を制御するように構成される。
【００３４】
本発明の第６の態様によれば、基地局が提供される。本基地局は第１のセルを管理する。本基地局は、第１の態様に記載の方法を実行するように構成される。又は、本基地局は、第２の態様に記載の方法を実行するように構成される。
【００３５】
本発明の第７の態様によれば、コンピュータプログラム製品が提供される。本コンピュータプログラム製品は、コンピュータプログラムコードを含む。コンピュータプログラムコードが処理ユニットによって実行されると、処理ユニットは、第１の態様に記載の方法を実行し、又は、処理ユニットは、第２の態様に記載の方法を実行する。
【００３６】
本発明は、少なくとも以下の有益な効果をもたらす。
【００３７】
本発明の実施形態によれば、第１の基地局は、第１の基地局が管理するセルの隣接セルのリソーススケジューリング情報に従って、セル間干渉の干渉レベルを決定し、該干渉レベルをインデックスとして用いて、続いて測定によって得られる実際のセル間干渉を記憶する。すなわち、第１の基地局は、セル間干渉の干渉レベルと続いて測定によって得られる実際のセル間干渉との相関を確立し記憶することができる。時間が経つにつれて、干渉レベルと相関する複数の実際のセル間干渉値が存在し得る。予見できるように、干渉レベルと測定によって得られる実際のセル間干渉との記憶された相関に基づいて、第１の基地局は、セル間干渉の干渉レベルを決定することにより、将来のセル間干渉値を迅速且つ正確に予測することができる。それにより、セル間干渉の変動によって生じるＳＩＮＲ推定精度に対する影響を軽減し、スケジュールされたユーザ機器の変調・符号化スキームのその後の調整の基礎を築き、システム性能を効果的に向上させることができる。
【図面の簡単な説明】
【００３８】
本発明の実施形態における技術的解決策をより明確に説明するために、以下、実施形態を説明するために必要な添付図面を簡単に説明する。当然ながら、以下の説明における添付図面は、本発明の一部の実施形態を示すものに過ぎない。当業者であれば、これらの添付図面から創意工夫なく他の図面を更に導出できるであろう。
【図１】本発明の実施形態１に係る、セル間干渉を処理する方法の概略フローチャートである。
【図２】本発明の実施形態２に係る、セル間干渉を処理する方法の概略フローチャートである。
【図３】本発明の実施形態３に係る、セル間干渉を処理するための機器の概略構造図である。
【図４】本発明の実施形態４に係る、セル間干渉を処理するための機器の概略構造図である。
【図５】本発明の実施形態５に係る、制御装置の概略構造図である。
【発明を実施するための形態】
【００３９】
以下に、本明細書を参照して、本発明の実施形態を詳細に説明する。当然ながら、記載される実施形態は、本発明の実施形態の一部ではあり、全部ではない。当業者が創意工夫なく本発明の実施形態に基づいて得られる他の実施形態は、全て本発明の保護範囲に包含されるものとする。
【００４０】
実施形態１
図１に示されるように、図１は、本発明の実施形態１に係る、セル間干渉を処理する方法の概略フローチャートである。本方法は第１の基地局に適用され、第１の基地局は第１のセルを管理する。本方法は、少なくとも以下のステップ１０１〜１０４を含み、以下に記載される他の任意のステップ又は任意の特徴も考慮に入れることができる。
【００４１】
ステップ１０１：第１の基地局は、第１のセルの隣接セルの第１の時間間隔におけるリソーススケジューリング情報を取得する。
【００４２】
リソーススケジューリング情報は、隣接セルの第１の時間間隔におけるリソーススケジューリング結果を表すのに用いられる。
【００４３】
留意すべきこととして、第１の基地局は複数のセルを管理してよい。すなわち、第１の基地局によって管理される複数のセルの一部は、第１のセルの隣接セルである。
【００４４】
例えば、ステップ１０１において、第１の基地局が、第１のセルの隣接セルの第１の時間間隔におけるリソーススケジューリング情報を取得するステップは、
要求メッセージを第２の基地局に送信するステップであって、第２の基地局によって管理されるセルは、第１のセルの隣接セルを含む、ステップと、第１のセルの隣接セルの第１の時間間隔におけるリソーススケジューリング情報を受信するステップであって、リソーススケジューリング情報は第２の基地局によって送信される、ステップ、又は、
第２のセルの第１の時間間隔におけるリソーススケジューリング情報を読み取るステップであって、第１の基地局は第２のセルを管理し、第２のセルは第１のセルの隣接セルである、ステップ、
を含んでよい。
【００４５】
実際の展開では、第１の基地局は、第１のセルの干渉及び雑音（英語：Interference  and  Noise；略してＩＮ）に従って、第１のセルと複数の隣接セルとの間で、協調干渉測定又は協調適応変調・符号化（英語：Adaptive  Modulation  and  Coding、略してＡＭＣ）を有効にするか否かを決定してよい。
【００４６】
例えば、第１の基地局は、第１のセルと複数の隣接セルとの間の協調干渉測定又は協調ＡＭＣを有効にするために、所定の有効化スイッチ機能を用いてよい。協調ＡＭＣを有効にするとは、第１の基地局が、第１のセルの複数の隣接セルのリソーススケジューリング情報を取得し、取得されたリソーススケジューリング情報に従って第１のセルのセル間干渉を推定することを意味し、それにより、リソース位置にユーザをスケジュールするか、或いはリソース位置でスケジュールされたユーザの変調・符号化スキームを調整することができる。
【００４７】
留意すべきこととして、第１のセルと第１のセルの複数の隣接セルは、同じ基地局によって管理されてよく、或いは異なる基地局によって管理されてよい。
【００４８】
したがって、第１のセルと第１のセルの複数の隣接セルが同じ基地局（すなわち第１の基地局）によって管理される場合、第１の基地局が第２のセルの第１の時間間隔におけるリソーススケジューリング情報を読み取る方式は、これに限定されるものではないが、
第１の基地局が、複数の管理対象セルのリソーススケジューリング情報をローカルに記憶し、第１のセルの隣接セル（第２のセル）の第１の時間間隔におけるリソーススケジューリング情報を、ローカルに記憶されたリソーススケジューリング情報リストを取得すること、又は、
第１の基地局が、第１のセルの隣接セル（第２のセル）の第１の時間間隔におけるリソーススケジューリング情報をコアネットワークに送信し、コアネットワーク側から、第１のセルの隣接セルの第１の時間間隔におけるリソーススケジューリング情報を要求すること、
を含む。
【００４９】
第１のセルと第１のセルの複数の隣接セルが異なる基地局によって管理される場合、すなわち、第１の基地局が第１のセルを管理し、第２の基地局が第１のセルの少なくとも１つの隣接セルを管理する場合、第１の基地局が第１のセルの隣接セルのリソーススケジューリング情報を取得する方式は、これに限定されるものではないが、
隣接セルを管理する第２の基地局に要求メッセージを送信することであって、要求メッセージは、第１のセルの管理対象隣接セルの第１の時間間隔におけるリソーススケジューリング情報を送信することを第２の基地局に要求するのに用いられることと、
第１のセルの隣接セルの第１の時間間隔におけるリソーススケジューリング情報を受信することであって、リソーススケジューリング情報は第２の基地局によって送信されることと、
を含む。
【００５０】
留意すべきこととして、第１の時間間隔の長さ（英語：Time  Interval）は、１つの送信時間間隔の長さ（英語：Transmission  Time  Interval；略してＴＴＩ）を指すことがあり、或いは、いくつかのＴＴＩの長さを指すことがあり、或いは別の指定された時間長を指すことがある。本明細書では、第１の時間間隔の具体的な長さは限定されない。
【００５１】
ステップ１０２：第１の基地局が、取得された第１の時間間隔のリソーススケジューリング情報に従って、第１のセルのセル間干渉の干渉レベルを決定する。
【００５２】
リソーススケジューリング情報は、セルの時間間隔におけるリソーススケジューリング結果を記述する。リソーススケジューリング結果は、第１のリソース位置においてユーザがスケジュールされていること、又は、第１のリソース位置においてユーザがスケジュールされていないことを含んでよい。
【００５３】
任意に、リソーススケジューリング結果は更に、第１のリソース位置においてユーザがスケジュールされていることと、スケジュールされているユーザが強干渉ユーザであることとを含んでよい。
【００５４】
隣接セルの第１のリソース位置と第１のセルの第１のリソース位置は同じリソース位置を示す。
【００５５】
強干渉ユーザは、隣接セルを管理する基地局により、隣接セルのセル品質と、第１のセルのセル品質と、閾値とに従って決定される。隣接セルのセル品質はユーザ機器によって測定される。
【００５６】
例えば、第１セルのＲＳＲＰ（英語：Reference  Signal  Received  Power）と、ユーザ機器によって測定され報告されるアクセス対象の第１セルの隣接セルのＲＳＲＰとの差異に従って、ユーザ機器が第１のセルの強干渉ユーザであるか否かが決定される。差が所定の閾値よりも小さい場合、ユーザ機器は第１のセルの強干渉ユーザであると決定され、そうでなければ、ユーザ機器は第１のセルの強干渉ユーザではないと決定される。
【００５７】
通信システムでは、リソーススケジューリング結果はリソース粒度に密接に関連する。本発明の本実施形態で決定されるセルのセル間干渉の干渉レベルについては、リソース粒度のファクタを考慮する必要がある。ＬＴＥシステムを例に挙げると、リソース粒度は一般にリソースブロック（英語：Recourse  Block；略してＲＢ）である。この場合、第１のリソース位置は、１つのリソースブロック（英語：Recourse  Block；略してＲＢ）又はいくつかのリソースブロックを指し得る。当然ながら、第１のリソース位置は、１つのサブキャリア又は複数のサブキャリアを指してもよく、１つの周波数帯域リソースやスペクトルリソースを指してもよい。第１のリソース位置の具体的な意味は、異なる通信システムによって異なり、ここでは徹底的に列挙されていない。
【００５８】
本発明の本実施形態では、セルのシステム帯域幅と第１のリソース位置を含む複数のリソース位置のサイズとに従って、１つのセルに対して複数の干渉レベルのグループが維持されてよい。セルのシステム帯域幅が５０ＲＢであると仮定すると、第１のリソース位置のサイズと別のリソース位置のサイズが全て２ＲＢである場合、セルは最大２５個のセル間干渉の干渉レベルのグループを有することができる。第１のリソース位置のサイズと別のリソース位置のサイズが全て１ＲＢである場合、セルは最大５０個のセル間干渉の干渉レベルのグループを有することができる。干渉レベルの各グループは、２つ以上の干渉レベルを含む。
【００５９】
任意に、１つ以上の隣接セルの第１の時間間隔におけるリソーススケジューリング結果が、第１のリソース位置においてユーザがスケジュールされていること、又は、第１のリソース位置においてユーザがスケジュールされていないことを含む場合（隣接セルの第１のリソース位置と第１のセルの第１のリソース位置は同じリソース位置を示す）、
取得された第１の時間間隔のリソーススケジューリング情報に従って、第１のセルのセル間干渉の干渉レベルを決定するステップは、
第１のリソース位置においてユーザがスケジュールされている隣接セルの数に従って、第１のセルのセル間干渉の干渉レベルを決定するステップ、又は、
第１のリソース位置においてユーザがスケジュールされていない隣接セルの数に従って、第１のセルのセル間干渉の干渉レベルを決定するステップ、
を含んでよい。
【００６０】
セルの隣接セルのある時間間隔におけるリソーススケジューリング情報は、隣接セルの予想されるデータ伝送状態を反映し、隣接セルのデータ伝送はセルに対するセル間干渉源である。一般に、同一リソース位置のユーザをスケジュールする隣接セルの数が多いほど、セルのセル間干渉の決定される干渉レベルは高くなる。逆に、リソース位置においてユーザをスケジュールする隣接セルの数が少ないほど、セルのセル間干渉の決定される干渉レベルは低くなる。
【００６１】
加えて、スケジューリングと実際のデータ伝送との間に時間の遅延が存在するため、本発明の本実施形態では、セルのセル間干渉の干渉レベルが決定されているとき、隣接セルは一般にデータ伝送を開始しない。したがって、干渉レベルは実際のセル間干渉ではなく、両者は異なる概念である。干渉レベルは、リソーススケジューリング情報に基づいて予測されるセル間干渉レベルであり、実際のセル間干渉は、隣接セルがデータ伝送を行うときに基地局が測定によって取得することができる。
【００６２】
任意に、干渉レベルは２つのタイプに分類することができる。１つのタイプは、セル間干渉の強度を無視できることを意味し、他方のタイプは、セル間干渉の強度を無視できないことを意味する。セル間干渉の強度が無視できないことを意味するタイプは、更に複数の干渉レベルを含み、異なる干渉レベルは、異なるセル間干渉強度の程度を表す。例えば、セル間干渉の強度が無視できないことを意味するタイプでは、２つの干渉レベルが更に定義される。一方の干渉レベルはセル間干渉強度が高いことを示し、他方はセル間干渉強度が低いことを示す。代替として、３つ以上の干渉レベルが更に含まれる。明らかながら、実際の適用において、セル間干渉の干渉レベルの数と各干渉レベルによって表される意味は、展開シナリオに従って適宜調整されてよく、本明細書では限定されない。
【００６３】
例えば、第１のリソース位置のサイズは１ＲＢであり、ＲＢ１で示される。セル間干渉の干渉レベルの数は、第１のリソース位置にユーザがスケジュールされている隣接セルの数に基づいて決定されてもよい。以下に例を挙げる。
【００６４】
Ｎ個の隣接セルの第１の時間間隔における取得されたリソーススケジューリング情報によって示されるスケジューリング結果が、Ｎ個の隣接セルがＲＢ１にユーザをスケジュールしていることである場合、第１のセルのセル間干渉の干渉レベルがＮ個の隣接セルがＲＢ１においてセル間干渉を生じることであると決定される。Ｎの値の範囲は、１〜受信されるリソーススケジューリング情報の数である。
【００６５】
Ｎ個の隣接セルの第１の時間間隔における取得されたリソーススケジューリング情報によって示されるスケジューリング結果が、Ｐ個の隣接セルがＲＢ１にユーザをスケジュールしていることである場合、第１のセルのセル間干渉の干渉レベルがＰ個の隣接セルがＲＢ１においてセル間干渉を生じることであると決定される。Ｐの値の範囲は、１〜Ｎである。
【００６６】
Ｎ個の隣接セルの第１の時間間隔における取得されたリソーススケジューリング情報によって示されるスケジューリング結果が、１個の隣接セルがＲＢ１にユーザをスケジュールしていることである場合、第１のセルのセル間干渉の干渉レベルが１個の隣接セルがＲＢ１においてセル間干渉を生じることであると決定される。
【００６７】
Ｎ個の隣接セルの第１の時間間隔における取得されたリソーススケジューリング情報によって示されるスケジューリング結果が、０個の隣接セルがＲＢ１にユーザをスケジュールしていることである場合、第１のセルのセル間干渉の干渉レベルがＲＢ１においてセル間干渉を生じる隣接セルがないことであると決定される。
【００６８】
具体的には、表１は、隣接セルの第１の時間間隔におけるリソーススケジューリング情報に従って第１のセルのセル間干渉の干渉レベルを決定する方法を示す。
【表１】
0006517335.tif 000002
【００６９】
表１から分かるように、リソースブロックＲＢ１について、第１のセルのセル間干渉の干渉レベルは、隣接セルの第１の時間間隔におけるリソーススケジューリング情報に従って決定される。すなわち、
１．０個の隣接セルがユーザをスケジュールしており、他のＮ個の隣接セルはユーザをスケジュールしていない、
２．１個の隣接セルがユーザをスケジュールしており、他のＮ−１個の隣接セルはユーザをスケジュールしていない、
３．２個の隣接セルがユーザをスケジュールしており、他のＮ−２個の隣接セルはユーザをスケジュールしていない、
４．３個の隣接セルがユーザをスケジュールしており、他のＮ−３個の隣接セルはユーザをスケジュールしていない、
…
Ｎ＋１．Ｎ個の隣接セルがユーザをスケジュールしている（Ｎは自然数である）。
【００７０】
留意すべきこととして、干渉レベルに記載されたＮ個の隣接セルは、第１セルの隣接セルのうち任意のＮ個の隣接セルであり、具体的な隣接セルは特定されない。
【００７１】
別の例では、１個の隣接セルがユーザをスケジュールしていることは、第１のセルの任意の隣接セルがユーザをスケジュールしていることであってよい。或いは、１個の隣接セルがユーザをスケジュールしていることに相当する干渉レベルは、具体的には、隣接セルＬ１がユーザをスケジュールしていること、又は隣接セルＬ２がユーザをスケジュールしていること、又は隣接セルＬ３がユーザをスケジュールしていること、又は…、又は隣接セルＬｍがユーザをスケジュールしていること、又は…、又は隣接セルＬｎがユーザをスケジュールしていることであってよい。Ｌ１−Ｌｍ−Ｌｎは、隣接セルの識別子である。
【００７２】
２個の隣接セルがユーザをスケジュールしていることは、第１のセルの任意の２個の隣接セルがユーザをスケジュールしていることであってよい。或いは、２個の隣接セルがユーザをスケジュールしていることに相当する干渉レベルは、具体的には、隣接セルＬ１がユーザをスケジュールしており、隣接セルＬ２がユーザをスケジュールしていること、又は隣接セルＬ３がユーザをスケジュールしており、隣接セルＬ４がユーザをスケジュールしていること、又は隣接セルＬ５がユーザをスケジュールしており、隣接セルＬ６がユーザをスケジュールしていること、又は…、又は隣接セルＬｍがユーザをスケジュールしており、隣接セルＬｐがユーザをスケジュールしていること、又は…、又は隣接セルＬｎがユーザをスケジュールしており、隣接セルＬｔがユーザをスケジュールしていることであってよい。Ｌ１−Ｌｍ−Ｌｐ−Ｌｎ−Ｌｔは、隣接セルの識別子である。
【００７３】
任意に、第１の基地局がＮ個の隣接セルの第１の時間間隔におけるリソーススケジューリング情報を取得し、各リソーススケジューリング情報が、リソース位置情報及びスケジュールされたユーザを含み、スケジューリングされたユーザが強干渉ユーザであると仮定する。第１のリソース位置においてユーザがスケジュールされている隣接セルの数に従って、第１のセルのセル間干渉の干渉レベルを決定するステップは、
第１のリソース位置において強干渉ユーザがスケジュールされている隣接セルの数に従って、第１のセルのセル間干渉の干渉レベルを決定するステップ、
を含む。
【００７４】
具体的には、第１のセルのセル間干渉の干渉レベルは、リソース位置においてスケジュールされたユーザが強干渉ユーザであるか否かと、リソース位置において強干渉ユーザがスケジュールされている隣接セルの数とに従って、決定されてもよい。
【００７５】
例えば、リソース位置（例えばＲＢ１）について、Ｎ個の隣接セルの第１の時間間隔における取得されたリソーススケジューリング情報によって示されるスケジューリング結果が、Ｎ個の隣接セルがＲＢ１においてユーザをスケジュールしていることであり、Ｎ個の隣接セルのうちＭ個の隣接セルに強干渉ユーザがスケジュールされている場合、第１のセルのセル間干渉の干渉レベルがＭ個の隣接セルがＲＢ１に強干渉ユーザをスケジュールしており、セル間の強干渉を生成することであると決定される。Ｎの値の範囲は、１〜受信されるリソーススケジューリング情報の数であり、Ｍの値の範囲は１〜Ｍである。
【００７６】
Ｎ個の隣接セルの第１の時間間隔における取得されたリソーススケジューリング情報によって示されるスケジューリング結果が、Ｎ個の隣接セルがＲＢ１にユーザをスケジュールしており、Ｎ個の隣接セルのうち１個の隣接セルが強干渉ユーザをスケジュールしていることである場合、第１のセルのセル間干渉の干渉レベルが、１個の隣接セルがＲＢ１に強干渉ユーザをスケジュールしており、セル間の強干渉を生成することであると決定される。
【００７７】
Ｎ個の隣接セルの第１の時間間隔における取得されたリソーススケジューリング情報によって示されるスケジューリング結果が、Ｎ個の隣接セルがＲＢ１にユーザをスケジュールしており、Ｎ個の隣接セルのうち強干渉ユーザをスケジュールしているセルがないことである場合、第１のセルのセル間干渉の干渉レベルが、ＲＢ１に強干渉ユーザをスケジュールしておりセル間の強干渉を生成する隣接セルがないことであると決定される。
【００７８】
具体的には、表２は、隣接セルの第１の時間間隔におけるリソーススケジューリング情報に従って第１のセルのセル間干渉の干渉レベルを決定する方法を示す。
【表２】
0006517335.tif 000003
【００７９】
表２から分かるように、リソースブロックＲＢ１について、第１のセルのセル間干渉の干渉レベルは、隣接セルの第１の時間間隔におけるリソーススケジューリング情報に従って決定される。すなわち、
１．０個の隣接セルに強干渉ユーザがスケジュールされている、
２．１個の隣接セルに強干渉ユーザがスケジュールされている、
３．２個の隣接セルに強干渉ユーザがスケジュールされている、
４．３個の隣接セルに強干渉ユーザがスケジュールされている、
…
Ｎ＋１．Ｎ個の隣接セルに強干渉ユーザがスケジュールされている（Ｎは自然数である）。
【００８０】
留意すべきこととして、干渉レベルに記載されたＮ個の隣接セルは、第１セルの隣接セルのうち任意のＮ個の隣接セルであり、具体的な隣接セルは特定されない。
【００８１】
別の例では、１個の隣接セルに強干渉ユーザがスケジュールされていることは、第１のセルの任意の隣接セルが強干渉ユーザをスケジュールしていることであってよい。或いは、１個の隣接セルに強干渉ユーザがスケジュールされていることに相当する干渉レベルは、具体的には、隣接セルＬ１が強干渉ユーザをスケジュールしていること、又は隣接セルＬ２が強干渉ユーザをスケジュールしていること、又は隣接セルＬ３が強干渉ユーザをスケジュールしていること、又は…、又は隣接セルＬｍが強干渉ユーザをスケジュールしていること、又は…、又は隣接セルＬｎが強干渉ユーザをスケジュールしていることであってよい。Ｌ１−Ｌｍ−Ｌｎは、隣接セルの識別子である。
【００８２】
２個の隣接セルに強干渉ユーザがスケジュールされていることは、第１のセルの任意の２個の隣接セルが強干渉ユーザをスケジュールしていることであってよい。或いは、２個の隣接セルに強干渉ユーザがスケジュールされていることに相当する干渉レベルは、具体的には、隣接セルＬ１が強干渉ユーザをスケジュールしており、隣接セルＬ２が強干渉ユーザをスケジュールしていること、又は隣接セルＬ３が強干渉ユーザをスケジュールしており、隣接セルＬ４が強干渉ユーザをスケジュールしていること、又は隣接セルＬ５が強干渉ユーザをスケジュールしており、隣接セルＬ６が強干渉ユーザをスケジュールしていること、又は…、又は隣接セルＬｍが強干渉ユーザをスケジュールしており、隣接セルＬｐが強干渉ユーザをスケジュールしていること、又は…、又は隣接セルＬｎが強干渉ユーザをスケジュールしており、隣接セルＬｔが強干渉ユーザをスケジュールしていることであってよい。Ｎ及びＬ１−Ｌｍ−Ｌｐ−Ｌｎ−Ｌｔは、隣接セルの識別子である。
【００８３】
別の例では、第１のセルがＲＢ１〜ＲＢ６で示される合計６個のリソースブロックを有し、隣接セルの第１の時間間隔におけるリソーススケジューリング情報に従って、第１セルのセル間干渉の干渉レベルの６個のグループが維持され、干渉レベルの各グループが上述の２つ以上の干渉レベルを含むことができると仮定する。干渉レベルの異なるグループにおける干渉レベルの定義は、互いに独立してよく、すなわち、表３に示すように、同じであってもよく、互いに異なってもよい。
【表３】
0006517335.tif 000004
【００８４】
ステップ１０３：第１の基地局が、第１のセルの第２の時間間隔におけるセル間干渉値を測定する。第２の時間間隔は第１の時間間隔よりも遅い。
【００８５】
上述のように、セルの隣接セルのある時間間隔におけるリソーススケジューリング情報は、隣接セルの予想されるデータ伝送状態を反映し、スケジューリングと実際のデータ伝送との間には時間の遅延が存在する。第１のセルの隣接セルの第１の時間間隔におけるリソーススケジューリング情報（ステップ１０１で取得される）について、隣接セルは、第２の時間間隔においてのみ実際のデータ送信を行い、同時に第１のセルに対してセル間干渉を生じる。第２の時間間隔は、第１の時間間隔におけるリソーススケジューリング情報に基づいて、第１のセルの隣接セルによって実際にデータが送信される時間間隔である。したがって、ステップ１０２において第１のセルのセル間干渉レベルを決定することができるが、実際のセル間干渉は、第１の基地局により第２の時間間隔において測定することによって取得される必要がある。
【００８６】
第１の基地局は、第１の時間間隔においてリソーススケジューリング情報を取得する場合、スケジューリングとデータ伝送とのタイミング関係に従って、セル間干渉を測定するための第２の時間間隔を決定してよい。タイミング関係は予めシステム内で規定されている。代替として、第２の時間間隔は、第１の基地局と第２の基地局との間でメッセージを交換することによって決定されてよい。第２の時間間隔を決定する具体的な方法は、本明細書に限定されない。
【００８７】
ステップ１０４：第１の時間間隔におけるリソーススケジューリング情報に従って決定された干渉レベルをインデックスとして用いて、第１のセルの第２の時間間隔における測定されたセル間干渉値を記憶する。
【００８８】
上述のステップでは、第１の基地局は、第１の時間間隔においてリソーススケジューリング情報を取得した後、第１のセルのセル間干渉の干渉レベルを決定し、セル間干渉を測定するための第２の時間間隔を決定してよい。したがって、第１のセルのセル間干渉値が第２の時間間隔における測定によって取得された後、記第１のセルの第２の時間間隔における測定されたセル間干渉値が、第１の時間間隔におけるリソーススケジューリング情報に従って決定された干渉レベルをインデックスとして用いて、記憶されてよい。すなわち、ステップ１０４において、第１の時間間隔におけるリソーススケジューリング情報に従って決定された干渉レベルと、第２の時間間隔において測定によって取得された第１のセルのセル間干渉値との相関が、確立され記憶されてよい。
【００８９】
相関は、テーブル又はデータベースの形式で第１の基地局に記憶されてよく、別の形態で第１の基地局に記憶されてもよい。
【００９０】
例えば、表４に示されるように、第１の時間間隔におけるリソーススケジューリング情報に従って決定された干渉レベルと、第２の時間間隔において測定によって取得された第１のセルのセル間干渉値との相関を、表形式で概略的に表す。表４の第１列は、第１セルにおける異なるリソース位置を示し、第２列は、リソース位置に対して維持される干渉レベルのグループを示す。説明上、リソーススケジューリング情報に従って決定される干渉レベルの数と干渉レベルの定義は、リソース位置ごとに独立している。別の考えられる場合では、干渉レベルの数と干渉レベルの定義は、異なるリソースロケーションについて同じであってよい。第３列は、第２列の干渉レベルと相関するセル間干渉値を示し、基地局により測定によって実際に得られる。表４は、説明上のものに過ぎず、本発明の本実施形態を限定するものではない。
【表４】
0006517335.tif 000005
【００９１】
任意に、本方法は更に、
第１のセルの隣接セルの第３の時間間隔におけるリソーススケジューリング情報を取得するステップであって、リソーススケジューリング情報は、隣接セルの第３の時間間隔におけるリソーススケジューリング結果を表すのに用いられる、ステップと、
取得された第３の時間間隔におけるリソーススケジューリング情報に従って、第１のセルのセル間干渉の干渉レベルを決定するステップと、
第１のセルの第４の時間間隔におけるセル間干渉値を測定するステップであって、第４の時間間隔は第３の時間間隔よりも遅い、ステップと、
干渉レベルをインデックスとして用いて、第１のセルの第４の時間間隔における測定されたセル間干渉値を記憶するステップであって、干渉レベルは第３の時間間隔におけるリソーススケジューリング情報に従って決定される、ステップと、
を含んでよい。
【００９２】
任意に、第１のセルの第４の時間間隔における測定されたセル間干渉値が記憶されているとき、第３の時間間隔におけるリソーススケジューリング情報に従って決定された干渉レベルが、第１の時間間隔におけるリソーススケジューリング情報に従って決定された干渉レベルと同じである場合、第１のセルのセル間干渉値の統計値が、第１のセルの第２の時間間隔における測定されたセル間干渉値と、第１のセルの第４の時間間隔における測定されたセル間干渉値とに従って、計算され記憶される。又は、
第１のセルの第２の時間間隔における測定されたセル間干渉値が削除される。第４の時間間隔は第２の時間間隔よりも遅い。
【００９３】
例えば、第１の時間間隔におけるリソーススケジューリング情報に従って決定された干渉レベルは、１個の隣接セルがユーザをスケジュールしており、他のＮ−１個の隣接セルがユーザをスケジュールしておらず、第２の時間間隔において得られる測定干渉値がＲ１であることである。第３の時間間隔におけるリソーススケジューリング情報に従って決定された干渉レベルは、１個の隣接セルがユーザをスケジュールしており、他のＮ−１個の隣接セルがユーザをスケジュールしておらず、第２の時間間隔において得られる測定干渉値がＲ３であることである。この場合、「１個の隣接セルがユーザをスケジュールしており、他のＮ−１個の隣接セルがユーザをスケジュールしていない」という干渉レベルについて、第１セルの決定されたセル間干渉値は、Ｒ１とＲ３の平均値であってもよいし、Ｒ１とＲ３の加重平均値であってもよい。Ｒ１及びＲ３の重みを決定する際に時間係数を考慮することができる。或いは、Ｒ３は単にＲ１を置換することができる。本明細書ではこれについて具体的に限定しない。
【００９４】
留意すべきこととして、ここでいう統計値とは、同一の干渉レベルに対応する複数のセル間干渉値の平均値であってもよいし、同一の干渉レベルに対応する複数のセル間干渉値の重み付けされた値であってもよいし、別の統計的方法によって得られる統計値であってもよい。統計値を得るための具体的な方式は、本明細書に限定されず、必要に応じて決定されてよい。
【００９５】
加えて、決定された干渉レベルが、取得されたＮ個のリソーススケジューリング情報においてＭ個の隣接セルが第１のリソース位置に強干渉ユーザをスケジュールしている場合、決定された干渉レベルに対応するセル間干渉値を取得する他の方法が以下に提供される。
【００９６】
第１に、Ｎ個の隣接セルが第１のリソース位置にユーザをスケジュールしていないときに測定によって得られた干渉値（以下、第１の干渉値と呼ぶ）は、第１のセルの記憶された過去に測定されたセル間干渉値に従って決定される。
【００９７】
第２に、強干渉ユーザをスケジュールしているＭ個の隣接セルのサウンディング参照信号（英語：Sounding  Reference  Signal；略してＳＲＳ）と復調信号とに従って、受信時点のチャネルが予測され、受信時点における予測されたチャネルに従って、強干渉ユーザによって生じる受信時点における第１セルに対する干渉の干渉値（以下、第２の干渉値という）が予測される。
【００９８】
代替として、スケジュールされた強干渉ユーザのＳＲＳ信号及び復調信号が位置するチャネルの干渉が、ＳＲＳ信号及び復調信号に従って、受信時点において測定される。それにより、受信時点においてスケジュールされた強干渉ユーザによって生じる第１のセルに対する干渉の干渉値（以下、第２の干渉値という）が取得される。
【００９９】
最後に、第１の干渉値と第２の干渉値とを加算して、決定された干渉レベルに対応するセル間干渉値を求める。
【０１００】
本発明の実施形態１で提供される解決策によれば、基地局は、基地局によって管理されるセルの隣接セルのリソーススケジューリング情報に従って、セル間干渉の干渉レベルを決定し、干渉レベルをインデックスとして用いて、続いて測定によって得られる実際のセル間干渉を記憶することができる。すなわち、基地局は、セル間干渉の干渉レベルと続いて測定によって得られる実際のセル間干渉との相関を確立し記憶することができる。時間が経つにつれて、干渉レベルと相関する複数の実際のセル間干渉値が存在し得る。上述した任意のステップを実行すると、干渉レベルに相関するより正確なセル間干渉値の統計値を得ることができ、或いは、最新のセル間干渉値を常に確保することができる。予見できるように、干渉レベルと測定によって得られる実際のセル間干渉との記憶された相関に基づいて、基地局は、セル間干渉の干渉レベルを決定することにより、将来のセル間干渉値を迅速且つ正確に予測することができる。それにより、セル間干渉の変動によって生じるＳＩＮＲ推定精度に対する影響が軽減される。
【０１０１】
実施形態２
図２に示されるように、図２は、本発明の実施形態２に係る、セル間干渉を処理する方法の概略フローチャートである。本発明の実施形態２に含まれる、第１のセルの記憶されている過去に測定されたセル間干渉値は、本発明の実施形態１で説明された技術的解決策に従って実現されてよい。本方法は、以下のように説明することができる。
【０１０２】
ステップ２０１：第１の基地局が、第１のセルの隣接セルの第１の時間間隔におけるリソーススケジューリング情報を取得する。
【０１０３】
リソーススケジューリング情報は、隣接セルの第１の時間間隔におけるリソーススケジューリング結果を表すのに用いられる。
【０１０４】
ステップ２０１において、第１のセルの隣接セルの第１の時間間隔におけるリソーススケジューリング情報を取得するステップは、
要求メッセージを第２の基地局に送信するステップであって、第２の基地局によって管理されるセルは、第１のセルの隣接セルを含む、ステップと、第１のセルの隣接セルの第１の時間間隔におけるリソーススケジューリング情報を受信するステップであって、リソーススケジューリング情報は第２の基地局によって送信される、ステップ、又は、
第２のセルのリソーススケジューリング情報を読み取るステップであって、第１の基地局は第２のセルを管理し、第２のセルは第１のセルの隣接セルである、ステップ、
を含む。
【０１０５】
留意すべきこととして、ステップ２０１におけるリソーススケジューリング情報の取得の方式は、本発明の実施形態１のステップ１０１におけるリソーススケジューリング情報の取得の方式と同じであり、ここではこれ以上繰り返さない。
【０１０６】
ステップ２０２：第１の基地局が、取得された第１の時間間隔のリソーススケジューリング情報に従って、第１のセルのセル間干渉の干渉レベルを決定する。
【０１０７】
リソーススケジューリング情報は、セルの時間間隔におけるリソーススケジューリング結果を記述する。リソーススケジューリング結果は、第１のリソース位置においてユーザがスケジュールされていること、又は、第１のリソース位置においてユーザがスケジュールされていないことを含んでよい。
【０１０８】
任意に、リソーススケジューリング結果は更に、第１のリソース位置においてユーザがスケジュールされていることと、スケジュールされているユーザが強干渉ユーザであることとを含んでよい。
【０１０９】
隣接セルの第１のリソース位置と第１のセルの第１のリソース位置は同じリソース位置を示す。
【０１１０】
強干渉ユーザは、隣接セルを管理する基地局により、隣接セルのセル品質と、第１のセルのセル品質と、閾値とに従って決定される。隣接セルのセル品質はユーザ機器によって測定される。
【０１１１】
例えば、第１セルのＲＳＲＰ（英語：Reference  Signal  Received  Power、中国語：探測参考信号）と、ユーザ機器によって測定され報告されるアクセス対象の第１セルの隣接セルのＲＳＲＰとの差異に従って、ユーザ機器が第１のセルの強干渉ユーザであるか否かが決定される。差が所定の閾値よりも小さい場合、ユーザ機器は第１のセルの強干渉ユーザであると決定され、そうでなければ、ユーザ機器は第１のセルの強干渉ユーザではないと決定される。
【０１１２】
通信システムでは、リソーススケジューリング結果はリソース粒度に密接に関連する。本発明の本実施形態で決定されるセルのセル間干渉の干渉レベルについては、リソース粒度のファクタを考慮する必要がある。ＬＴＥシステムを例に挙げると、リソース粒度は一般にリソースブロック（英語：Recourse  Block；略してＲＢ）である。この場合、第１のリソース位置は、１つのリソースブロック（英語：Recourse  Block；略してＲＢ）又はいくつかのリソースブロックを指し得る。当然ながら、第１のリソース位置は、１つのサブキャリア又は複数のサブキャリアを指してもよく、１つの周波数帯域リソースやスペクトルリソースを指してもよい。第１のリソース位置の具体的な意味は、異なる通信システムによって異なり、ここでは徹底的に列挙されていない。
【０１１３】
本発明の本実施形態では、セルのシステム帯域幅と第１のリソース位置を含む複数のリソース位置のサイズとに従って、１つのセルに対して複数の干渉レベルのグループが維持されてよい。セルのシステム帯域幅が５０ＲＢであると仮定すると、第１のリソース位置のサイズと別のリソース位置のサイズが全て２ＲＢである場合、セルは最大２５個のセル間干渉の干渉レベルのグループを有することができる。第１のリソース位置のサイズと別のリソース位置のサイズが全て１ＲＢである場合、セルは最大５０個のセル間干渉の干渉レベルのグループを有することができる。干渉レベルの各グループは、２つ以上の干渉レベルを含む。
【０１１４】
任意に、１つ以上の隣接セルの第１の時間間隔におけるリソーススケジューリング結果が、第１のリソース位置においてユーザがスケジュールされていること、又は、第１のリソース位置においてユーザがスケジュールされていないことを含む場合（隣接セルの第１のリソース位置と第１のセルの第１のリソース位置は同じリソース位置を示す）、
取得された第１の時間間隔のリソーススケジューリング情報に従って、第１のセルのセル間干渉の干渉レベルを決定するステップは、
第１のリソース位置においてユーザがスケジュールされている隣接セルの数に従って、第１のセルのセル間干渉の干渉レベルを決定するステップ、又は、
第１のリソース位置においてユーザがスケジュールされていない隣接セルの数に従って、第１のセルのセル間干渉の干渉レベルを決定するステップ、
を含んでよい。
【０１１５】
セルの隣接セルのある時間間隔におけるリソーススケジューリング情報は、隣接セルの予想されるデータ伝送状態を反映し、隣接セルのデータ伝送はセルに対するセル間干渉源である。一般に、同一リソース位置のユーザをスケジュールする隣接セルの数が多いほど、セルのセル間干渉の決定される干渉レベルは高くなる。逆に、リソース位置においてユーザをスケジュールする隣接セルの数が少ないほど、セルのセル間干渉の決定される干渉レベルは低くなる。
【０１１６】
加えて、スケジューリングと実際のデータ伝送との間に時間の遅延が存在するため、本発明の本実施形態では、セルのセル間干渉の干渉レベルが決定されているとき、隣接セルは一般にデータ伝送を開始しない。したがって、干渉レベルは実際のセル間干渉ではなく、両者は異なる概念である。干渉レベルは、リソーススケジューリング情報に基づいて予測されるセル間干渉レベルであり、実際のセル間干渉は、隣接セルがデータ伝送を行うときに基地局が測定によって取得することができる。
【０１１７】
任意に、干渉レベルは２つのタイプに分類することができる。１つのタイプは、セル間干渉の強度を無視できることを意味し、他方のタイプは、セル間干渉の強度を無視できないことを意味する。セル間干渉の強度が無視できないことを意味するタイプは、更に複数の干渉レベルを含み、異なる干渉レベルは、異なるセル間干渉強度の程度を表す。例えば、セル間干渉の強度が無視できないことを意味するタイプでは、２つの干渉レベルが更に定義される。一方の干渉レベルはセル間干渉強度が高いことを示し、他方はセル間干渉強度が低いことを示す。代替として、３つ以上の干渉レベルが更に含まれる。明らかながら、実際の適用において、セル間干渉の干渉レベルの数と各干渉レベルによって表される意味は、展開シナリオに従って適宜調整されてよく、本明細書では限定されない。
【０１１８】
留意すべきこととして、ステップ２０２における干渉レベルを決定する方式は、本発明の実施形態１のステップ１０２における干渉レベルを決定する方式と同じであり、ここではこれ以上繰り返さない。
【０１１９】
ステップ２０３：第１の時間間隔におけるリソーススケジューリング情報に従って決定された干渉レベルに従って、第１のセルの記憶されている過去に測定されたセル間干渉値を読み取る。
【０１２０】
ステップ２０３において、第１のセルの記憶された過去に測定されたセル間干渉値は、
第１の基地局が１つ以上の過去の時間間隔において測定した第１のセルのセル間干渉値を含み、セル間干渉値は、第１の時間間隔におけるリソーススケジューリング情報に従って決定された干渉レベルと同じ干渉レベルをインデックスとして用いて、第１の基地局に予め記憶されており、１つ以上の過去の時間間隔は全て第２の時間間隔よりも早く、又は、
複数の過去の時間間隔において測定された第１のセルのセル間干渉値に従って第１の基地局によって計算され記憶される、第１のセルのセル間干渉値の統計値を含み、第１のセルのセル間干渉値の統計値は、第１の時間間隔におけるリソーススケジューリング情報に従って決定された干渉レベルと同じ干渉レベルをインデックスとして用いて、第１の基地局に予め記憶されており、複数の過去の時間間隔は全て第２の時間間隔よりも早い。
【０１２１】
留意すべきこととして、第１のセルの記憶された過去に測定されたセル間干渉値は、本発明の実施形態１のステップ１０１〜ステップ１０４に記載の方式で実現されてよく、本明細書ではこれ以上説明しない。
【０１２２】
ステップ２０４：第１のセルの読み取られた過去に測定されたセル間干渉値を用いて、第１のセルの第２の時間間隔におけるセル間干渉を推定する。
【０１２３】
第２の時間間隔は、第１の時間間隔よりも遅い。
【０１２４】
任意に、本方法は更に、
第１のセルの読み取られた過去に測定されたセル間干渉値を用いて、第１のセルの第２の時間間隔におけるセル間干渉を推定し、推定された第１のセルの第２の時間間隔におけるセル間干渉に従って、第１のリソース位置において、第１のセルの第２の時間間隔における信号対干渉雑音比を計算するステップ、
を含む。
【０１２５】
任意に、本方法は更に、
計算された第１のセルの第２の時間間隔における信号対干渉雑音比に従って、第１のセルの第１のリソース位置においてユーザをスケジュールするか否かを決定するステップ、又は、
計算された第１のセルの信号対干渉雑音比に従って、第１のセルの第１のリソース位置にスケジュールされたユーザの変調・符号化スキームを調整するか否かを決定するステップ、
を含む。
【０１２６】
本発明の実施形態２の解決策によれば、第１の基地局は第１のセルを管理し、第１のセルの隣接セルの第１の時間間隔におけるリソーススケジューリング情報を取得する。リソーススケジューリング情報は、隣接セルの第１の時間間隔におけるリソーススケジューリング結果を表すのに用いられる。また、取得された第１の時間間隔のリソーススケジューリング情報に従って、第１のセルのセル間干渉の干渉レベルを決定し、第１の時間間隔におけるリソーススケジューリング情報に従って決定された干渉レベルに従って、第１のセルの記憶されている過去に測定されたセル間干渉値を読み取り、第１のセルの読み取られた過去に測定されたセル間干渉値を用いて、第１のセルの第２の時間間隔におけるセル間干渉を推定する。第１のセルの記憶された過去に測定されたセル間干渉値は、測定によって得られる実際のセル間干渉であり、基地局は、セル間干渉の干渉レベルを決定することにより、第１のセルの過去に測定されたセル間干渉値を読み取る。このように、第１のセルの読み取られた過去に測定されたセル間干渉値を用いて、将来のセル間干渉値を迅速且つ正確に予測することができる。よって、スケジュールされたユーザ機器の変調・符号化スキームのその後の調整の基礎を築き、システム性能を効果的に向上させることができる。
【０１２７】
実施形態３
図３に示されるように、図３は、本発明の実施形態３に係る、セル間干渉を処理するための機器の概略構造図である。本機器は第１の基地局に適用されてよく、第１の基地局は第１のセルを管理する。本機器は、取得モジュール３１、決定モジュール３２、測定モジュール３３及び記憶モジュール３４を備える。
【０１２８】
取得モジュール３１は、第１のセルの隣接セルの第１の時間間隔におけるリソーススケジューリング情報を取得するように構成される。リソーススケジューリング情報は、隣接セルの第１の時間間隔におけるリソーススケジューリング結果を表すのに用いられる。
【０１２９】
決定モジュール３２は、取得された第１の時間間隔のリソーススケジューリング情報に従って、第１のセルのセル間干渉の干渉レベルを決定するように構成される。
【０１３０】
測定モジュール３３は、第１のセルの第２の時間間隔におけるセル間干渉値を測定するように構成される。第２の時間間隔は第１の時間間隔よりも遅い。
【０１３１】
記憶モジュール３４は、第１の時間間隔におけるリソーススケジューリング情報に従って決定された干渉レベルをインデックスとして用いて、第１のセルの第２の時間間隔における測定されたセル間干渉値を記憶するように構成される。
【０１３２】
具体的には、取得モジュール３１は、具体的には、要求メッセージを第２の基地局に送信するように構成され、第２の基地局によって管理されるセルは、第１のセルの隣接セルを含み、且つ、第１のセルの隣接セルの第１の時間間隔におけるリソーススケジューリング情報を受信するように構成され、リソーススケジューリング情報は第２の基地局によって送信され、又は、
第２のセルの第１の時間間隔におけるリソーススケジューリング情報を読み取るように構成され、第１の基地局は第２のセルを管理し、第２のセルは第１のセルの隣接セルである。
【０１３３】
具体的には、隣接セルの第１の時間間隔におけるリソーススケジューリング結果は、第１のリソース位置においてユーザがスケジュールされていること、又は、第１のリソース位置においてユーザがスケジュールされていないことを含む。隣接セルの第１のリソース位置と第１のセルの第１のリソース位置は同じリソース位置を示し、
決定モジュール３２は、具体的には、第１のリソース位置においてユーザがスケジュールされている隣接セルの数に従って、第１のセルのセル間干渉の干渉レベルを決定するように構成され、又は、
第１のリソース位置においてユーザがスケジュールされていない隣接セルの数に従って、第１のセルのセル間干渉の干渉レベルを決定するように構成される。
【０１３４】
具体的には、隣接セルの第１の時間間隔におけるリソーススケジューリング結果が、第１のリソース位置においてユーザがスケジュールされていることであリ、スケジュールされているユーザが強干渉ユーザである場合、
決定モジュール３２は、具体的には、第１のリソース位置において強干渉ユーザがスケジュールされている隣接セルの数に従って、第１のセルのセル間干渉の干渉レベルを決定するように構成され、
強干渉ユーザは、隣接セルを管理する基地局により、隣接セルのセル品質と、第１のセルのセル品質と、閾値とに従って決定され、隣接セルのセル品質はユーザ機器によって測定される。
【０１３５】
具体的には、取得モジュール３１は更に、第１のセルの隣接セルの第３の時間間隔におけるリソーススケジューリング情報を取得するように構成される。リソーススケジューリング情報は、隣接セルの第３の時間間隔におけるリソーススケジューリング結果を表すのに用いられる。
【０１３６】
決定モジュール３２は更に、取得された第３の時間間隔におけるリソーススケジューリング情報に従って、第１のセルのセル間干渉の干渉レベルを決定するように構成される。
【０１３７】
測定モジュール３３は更に、第１のセルの第４の時間間隔におけるセル間干渉値を測定するように構成される。第４の時間間隔は第３の時間間隔よりも遅い。
【０１３８】
記憶モジュール３４は更に、第３の時間間隔におけるリソーススケジューリング情報に従って決定された干渉レベルをインデックスとして用いて、第１のセルの第４の時間間隔における測定されたセル間干渉値を記憶するように構成される。
【０１３９】
具体的には、記憶モジュール３４は更に、第１の時間間隔におけるリソーススケジューリング情報に従って決定された干渉レベルが、第３の時間間隔におけるリソーススケジューリング情報に従って決定された干渉レベルと同じであるとき、第１のセルの第２の時間間隔における測定されたセル間干渉値と、第１のセルの第４の時間間隔における測定されたセル間干渉値とに従って、第１のセルのセル間干渉値の統計値を計算し記憶するように構成され、又は、
第１のセルの第２の時間間隔における測定されたセル間干渉値を削除するように構成される。第４の時間間隔は第２の時間間隔よりも遅い。
【０１４０】
留意すべきこととして、本発明の実施形態３で提供される装置は、ハードウェア又はソフトウェアの方式で実現されてよく、実施方式はこれに限定されない。
【０１４１】
実施形態４
図４に示されるように、図４は、本発明の実施形態４に係る、セル間干渉を処理するための機器の概略構造図である。本機器は第１の基地局に適用されてよく、第１の基地局は第１のセルを管理する。本機器は、取得モジュール４１、決定モジュール４２及び処理モジュール４３を備える。
【０１４２】
取得モジュール４１は、第１のセルの隣接セルの第１の時間間隔におけるリソーススケジューリング情報を取得するように構成される。リソーススケジューリング情報は、隣接セルの第１の時間間隔におけるリソーススケジューリング結果を表すのに用いられる。
【０１４３】
決定モジュール４２は、取得された第１の時間間隔のリソーススケジューリング情報に従って、第１のセルのセル間干渉の干渉レベルを決定するように構成される。
【０１４４】
処理モジュール４３は、第１の時間間隔におけるリソーススケジューリング情報に従って決定された干渉レベルに従って、第１のセルの記憶されている過去に測定されたセル間干渉値を読み取り、第１のセルの読み取られた過去に測定されたセル間干渉値を用いて、第１のセルの第２の時間間隔におけるセル間干渉を推定するように構成される。第２の時間間隔は第１の時間間隔よりも遅い。
【０１４５】
任意に、第１のセルの記憶された過去に測定されたセル間干渉値は、
１つ以上の過去の時間間隔において測定された第１のセルのセル間干渉値を含み、セル間干渉値は、第１の時間間隔におけるリソーススケジューリング情報に従って決定された干渉レベルと同じ干渉レベルをインデックスとして用いて、機器に予め記憶されており、１つ以上の過去の時間間隔は全て第２の時間間隔よりも早く、又は、
複数の過去の時間間隔において測定された第１のセルのセル間干渉値に従って計算され記憶される、第１のセルのセル間干渉値の統計値を含み、第１のセルのセル間干渉値の統計値は、第１の時間間隔におけるリソーススケジューリング情報に従って決定された干渉レベルと同じ干渉レベルをインデックスとして用いて、機器に記憶されており、複数の過去の時間間隔は全て第２の時間間隔よりも早い。
【０１４６】
具体的には、取得モジュール４１は、具体的には、要求メッセージを第２の基地局に送信するように構成され、第２の基地局によって管理されるセルは、第１のセルの隣接セルを含み、且つ、第１のセルの隣接セルの第１の時間間隔におけるリソーススケジューリング情報を受信するように構成され、リソーススケジューリング情報は第２の基地局によって送信され、又は、
第２のセルのリソーススケジューリング情報を読み取るように構成され、第１の基地局は第２のセルを管理し、第２のセルは第１のセルの隣接セルである。
【０１４７】
具体的には、隣接セルの第１の時間間隔におけるリソーススケジューリング結果は、第１のリソース位置においてユーザがスケジュールされていること、又は、第１のリソース位置においてユーザがスケジュールされていないことを含む。隣接セルの第１のリソース位置と第１のセルの第１のリソース位置は同じリソース位置を示し、
決定モジュール４２は、具体的には、第１のリソース位置においてユーザがスケジュールされている隣接セルの数に従って、第１のセルのセル間干渉の干渉レベルを決定するように構成され、又は、
第１のリソース位置においてユーザがスケジュールされていない隣接セルの数に従って、第１のセルのセル間干渉の干渉レベルを決定するように構成される。
【０１４８】
具体的には、隣接セルの第１の時間間隔におけるリソーススケジューリング結果が、第１のリソース位置においてユーザがスケジュールされていることであり、スケジュールされているユーザが強干渉ユーザである場合、
決定モジュール４２は、具体的には、第１のリソース位置において強干渉ユーザがスケジュールされている隣接セルの数に従って、第１のセルのセル間干渉の干渉レベルを決定するように構成され、
強干渉ユーザは、隣接セルを管理する基地局により、隣接セルのセル品質と、第１のセルのセル品質と、閾値とに従って決定され、隣接セルのセル品質はユーザ機器によって測定される。
【０１４９】
任意に、本機器は更に計算モジュール４４を備える。
【０１５０】
計算モジュール４４は、推定された第１のセルの第２の時間間隔におけるセル間干渉に従って、第１のリソース位置において、第１のセルの第２の時間間隔における信号対干渉雑音比を計算するように構成される。
【０１５１】
任意に、本機器は更に調整モジュール４５を備える。
【０１５２】
調整モジュール４５は、計算された第１のセルの第２の時間間隔における信号対干渉雑音比に従って、第１のセルの第１のリソース位置においてユーザをスケジュールするか否かを決定するように構成され、又は、
計算された第１のセルの信号対干渉雑音比に従って、第１のセルの第１のリソース位置にスケジュールされたユーザの変調・符号化スキームを調整するか否かを決定するように構成される。
【０１５３】
留意すべきこととして、本発明の実施形態４で提供される装置は、ハードウェア又はソフトウェアの方式で実現されてよく、実施方式はこれに限定されない。
【０１５４】
実施形態５
図５に示されるように、図５は、本発明の実施形態５に係る制御装置の概略構造図である。本発明の実施形態５で提供される制御装置は、本発明の実施形態１〜４の機能を有する。本制御装置は第１の基地局に適用され、第１の基地局は第１のセルを管理する。本制御装置は、プロセッサ５１、通信リンク５２及びメモリ５３を備える。プロセッサ５１は、通信リンク５２を用いてメモリ５３と通信する。
【０１５５】
プロセッサ５１は、汎用の中央処理装置（ＣＰＵ）、マイクロプロセッサ、特定用途向け集積回路（application-specific  integrated  circuit、ＡＳＩＣ）、又は本発明の解決策のプログラムの実行を制御するための１つ以上の集積回路であってよい。
【０１５６】
メモリ５３は、読出専用メモリ（read-only  memory、ＲＯＭ）又は静的な情報及び命令を記憶することのできる別のタイプの静的記憶装置、或いは、ランダムアクセスメモリ（random  access  memory、ＲＡＭ）又は情報及び命令を記憶することのできる別のタイプの動的記憶装置であってよく、或いは、電気的消去可能プログラマブル読出専用メモリ（Electrically  Erasable  Programmable  Read  Only  Memory、ＥＥＰＲＯＭ）、コンパクトディスク読出専用メモリ（Compact  Disc  Read  Only  Memory、ＣＤ−ＲＯＭ）又は他のディスク記憶媒体、光ディスク記憶媒体（コンパクトディスク、レーザーディスク、光ディスク、デジタル多用途ディスク、ブルーレイディスクを含む）、磁気ディスク記憶媒体その他の磁気記憶装置、或いは、予想されるプログラムコードを命令形式又はデータ構造形式で搬送又は記憶するために用いることができ、コンピュータによってアクセス可能な任意の他の媒体であってよいが、これらに限定されない。メモリは、バスによってプロセッサに接続される。
【０１５７】
メモリ５３は、命令又はコードを記憶する。プロセッサ５１において命令又はコードが実行されるとき、制御装置は、
第１のセルの隣接セルの第１の時間間隔におけるリソーススケジューリング情報を取得するように構成され、リソーススケジューリング情報は、隣接セルの第１の時間間隔におけるリソーススケジューリング結果を表すのに用いられ、
取得された第１の時間間隔のリソーススケジューリング情報に従って、第１のセルのセル間干渉の干渉レベルを決定するように構成され、
第１のセルの第２の時間間隔におけるセル間干渉値を測定するように構成され、第２の時間間隔は第１の時間間隔よりも遅く、
第１の時間間隔におけるリソーススケジューリング情報に従って決定された干渉レベルをインデックスとして用いて、第１のセルの第２の時間間隔における測定されたセル間干渉値を記憶するように構成される。
【０１５８】
一実施方式において、プロセッサ５１において命令又はコードが実行されるとき、制御装置は、具体的には、
要求メッセージを第２の基地局に送信するように構成され、第２の基地局によって管理されるセルは、第１のセルの隣接セルを含み、且つ、第１のセルの隣接セルの第１の時間間隔におけるリソーススケジューリング情報を受信するように構成され、リソーススケジューリング情報は第２の基地局によって送信され、又は、
第２のセルの第１の時間間隔におけるリソーススケジューリング情報を読み取るように構成され、第１の基地局は第２のセルを管理し、第２のセルは第１のセルの隣接セルである。
【０１５９】
隣接セルの第１の時間間隔におけるリソーススケジューリング結果は、第１のリソース位置においてユーザがスケジュールされていること、又は、第１のリソース位置においてユーザがスケジュールされていないことを含む。隣接セルの第１のリソース位置と第１のセルの第１のリソース位置は同じリソース位置を示す。
【０１６０】
一実施方式において、プロセッサ５１において命令又はコードが実行されるとき、制御装置は、具体的には、
第１のリソース位置においてユーザがスケジュールされている隣接セルの数に従って、第１のセルのセル間干渉の干渉レベルを決定するように構成され、又は、
第１のリソース位置においてユーザがスケジュールされていない隣接セルの数に従って、第１のセルのセル間干渉の干渉レベルを決定するように構成される。
【０１６１】
隣接セルの第１の時間間隔におけるリソーススケジューリング結果が、第１のリソース位置においてユーザがスケジュールされていることであり、スケジュールされているユーザが強干渉ユーザである場合、一実施方式において、プロセッサ５１において命令又はコードが実行されるとき、制御装置は、具体的には、
第１のリソース位置において強干渉ユーザがスケジュールされている隣接セルの数に従って、第１のセルのセル間干渉の干渉レベルを決定するように構成され、
強干渉ユーザは、隣接セルを管理する基地局により、隣接セルのセル品質と、第１のセルのセル品質と、閾値とに従って決定され、隣接セルのセル品質はユーザ機器によって測定される。
【０１６２】
一実施方式において、プロセッサ５１において命令又はコードが実行されるとき、制御装置は更に、
第１のセルの隣接セルの第３の時間間隔におけるリソーススケジューリング情報を取得するように構成され、リソーススケジューリング情報は、隣接セルの第３の時間間隔におけるリソーススケジューリング結果を表すのに用いられ、
取得された第３の時間間隔におけるリソーススケジューリング情報に従って、第１のセルのセル間干渉の干渉レベルを決定するように構成され、
第１のセルの第４の時間間隔におけるセル間干渉値を測定するように構成され、第４の時間間隔は第３の時間間隔よりも遅く、
第３の時間間隔におけるリソーススケジューリング情報に従って決定された干渉レベルをインデックスとして用いて、第１のセルの第４の時間間隔における測定されたセル間干渉値を記憶するように構成される。
【０１６３】
一実施方式において、プロセッサ５１において命令又はコードが実行されるとき、制御装置は更に、
第１の時間間隔におけるリソーススケジューリング情報に従って決定された干渉レベルが、第３の時間間隔におけるリソーススケジューリング情報に従って決定された干渉レベルと同じであるとき、第１のセルの第２の時間間隔における測定されたセル間干渉値と、第１のセルの第４の時間間隔における測定されたセル間干渉値とに従って、第１のセルのセル間干渉値の統計値を計算し記憶するように構成され、又は、
第１のセルの第２の時間間隔における測定されたセル間干渉値を削除するように構成される。第４の時間間隔は第２の時間間隔よりも遅い。
【０１６４】
加えて、プロセッサ５１において命令又はコードが実行されるとき、制御装置は更に、
第１のセルの隣接セルの第１の時間間隔におけるリソーススケジューリング情報を取得するように構成され、リソーススケジューリング情報は、隣接セルの第１の時間間隔におけるリソーススケジューリング結果を表すのに用いられ、
取得された第１の時間間隔のリソーススケジューリング情報に従って、第１のセルのセル間干渉の干渉レベルを決定するように構成され、
第１の時間間隔におけるリソーススケジューリング情報に従って決定された干渉レベルに従って、第１のセルの記憶されている過去に測定されたセル間干渉値を読み取り、第１のセルの読み取られた過去に測定されたセル間干渉値を用いて、第１のセルの第２の時間間隔におけるセル間干渉を推定するように構成され、第２の時間間隔は第１の時間間隔よりも遅い。
【０１６５】
一実施方式において、第１のセルの記憶された過去に測定されたセル間干渉値は、
１つ以上の過去の時間間隔において測定された第１のセルのセル間干渉値を含み、セル間干渉値は、第１の時間間隔におけるリソーススケジューリング情報に従って決定された干渉レベルと同じ干渉レベルをインデックスとして用いて、機器に予め記憶されており、１つ以上の過去の時間間隔は全て第２の時間間隔よりも早く、又は、
複数の過去の時間間隔において測定された第１のセルのセル間干渉値に従って計算され記憶される、第１のセルのセル間干渉値の統計値を含み、第１のセルのセル間干渉値の統計値は、第１の時間間隔におけるリソーススケジューリング情報に従って決定された干渉レベルと同じ干渉レベルをインデックスとして用いて、機器に記憶されており、複数の過去の時間間隔は全て第２の時間間隔よりも早い。
【０１６６】
一実施方式において、プロセッサ５１において命令又はコードが実行されるとき、制御装置は、具体的には、
要求メッセージを第２の基地局に送信するように構成され、第２の基地局によって管理されるセルは、第１のセルの隣接セルを含み、また、第１のセルの隣接セルの第１の時間間隔におけるリソーススケジューリング情報を受信するように構成され、リソーススケジューリング情報は第２の基地局によって送信され、又は、
第２のセルのリソーススケジューリング情報を読み取るように構成され、第１の基地局は第２のセルを管理し、第２のセルは第１のセルの隣接セルである。
【０１６７】
具体的には、隣接セルの第１の時間間隔におけるリソーススケジューリング結果は、第１のリソース位置においてユーザがスケジュールされていること、又は、第１のリソース位置においてユーザがスケジュールされていないことを含む。隣接セルの第１のリソース位置と第１のセルの第１のリソース位置は同じリソース位置を示す。
【０１６８】
一実施方式において、プロセッサ５１において命令又はコードが実行されるとき、制御装置は、具体的には、
第１のリソース位置においてユーザがスケジュールされている隣接セルの数に従って、第１のセルのセル間干渉の干渉レベルを決定するように構成され、又は、
第１のリソース位置においてユーザがスケジュールされていない隣接セルの数に従って、第１のセルのセル間干渉の干渉レベルを決定するように構成される。
【０１６９】
具体的には、隣接セルの第１の時間間隔におけるリソーススケジューリング結果が、第１のリソース位置においてユーザがスケジュールされていることであり、スケジュールされているユーザが強干渉ユーザである場合、
一実施方式において、プロセッサ５１において命令又はコードが実行されるとき、制御装置は、具体的には、
第１のリソース位置において強干渉ユーザがスケジュールされている隣接セルの数に従って、第１のセルのセル間干渉の干渉レベルを決定するように構成され、
強干渉ユーザは、隣接セルを管理する基地局により、隣接セルのセル品質と、第１のセルのセル品質と、閾値とに従って決定され、隣接セルのセル品質はユーザ機器によって測定される。
【０１７０】
一実施方式において、プロセッサ５１において命令又はコードが実行されるとき、制御装置は更に、
推定された第１のセルの第２の時間間隔におけるセル間干渉に従って、第１のリソース位置において、第１のセルの第２の時間間隔における信号対干渉雑音比を計算するように構成される。
【０１７１】
一実施方式において、プロセッサ５１において命令又はコードが実行されるとき、制御装置は更に、
計算された第１のセルの第２の時間間隔における信号対干渉雑音比に従って、第１のセルの第１のリソース位置においてユーザをスケジュールするか否かを決定するように構成され、又は、
計算された第１のセルの信号対干渉雑音比に従って、第１のセルの第１のリソース位置にスケジュールされたユーザの変調・符号化スキームを調整するか否かを決定するように構成される。
【０１７２】
留意すべきこととして、制御装置は、第１のセルの隣接セルの第１の時間間隔におけるリソーススケジューリング情報を取得する。リソーススケジューリング情報は、隣接セルの第１の時間間隔におけるリソーススケジューリング結果を表すのに用いられる。取得された第１の時間間隔のリソーススケジューリング情報に従って、第１のセルのセル間干渉の干渉レベルを決定した後、第１の時間間隔におけるリソーススケジューリング情報に従って決定された干渉レベルに従って、第１のセルの記憶された過去に測定されたセル間干渉値を読み取り、第１のセルの過去に測定されたセル間干渉値が存在しない場合、本発明の実施形態１のステップ１０３〜ステップ１０４の解決策の実行を開始する。セル間干渉値は、第１の時間間隔におけるリソーススケジューリング情報に従って決定された干渉レベルに対応する。或いは、第１のセルの過去に測定されたセル間干渉値が存在する場合、本発明の実施形態２のステップ２０３〜ステップ２０４の解決策の実行をトリガする。セル間干渉値は、第１の時間間隔におけるリソーススケジューリング情報に従って決定された干渉レベルに対応する。すなわち、制御装置に記憶された、第１の時間間隔におけるリソーススケジューリング情報に従って決定された干渉レベルと、第１のセルの過去に測定されたセル間干渉値との間のマッピング関係が、長期学習プロセスにおいて得られる。結果として、第１のセルのセル間干渉の後続の推定がより便利になる。
【０１７３】
このように、制御装置は、制御装置が管理するセルの隣接セルのリソーススケジューリング情報に従って、セル間干渉の干渉レベルを決定し、干渉レベルをインデックスとして用いて、その後に測定によって得られる実際のセル間干渉を記憶する。すなわち、制御装置は、セル間干渉の干渉レベルと続いて測定によって得られる実際のセル間干渉との相関を確立し記憶することができる。時間が経つにつれて、干渉レベルと相関する複数の実際のセル間干渉値が存在し得る。上述した任意のステップを実行すると、干渉レベルに相関するより正確なセル間干渉値の統計値を得ることができ、或いは、最新のセル間干渉値を常に確保することができる。予見できるように、干渉レベルと測定によって得られる実際のセル間干渉との記憶された相関に基づいて、制御装置は、セル間干渉の干渉レベルを決定することにより、将来のセル間干渉値を迅速且つ正確に予測することができる。それにより、セル間干渉の変動によって生じるＳＩＮＲ推定精度に対する影響が軽減される。
【０１７４】
実施形態６
本発明の実施形態６は、基地局を提供する。本基地局は第１のセルを管理するように構成される。本基地局は、本発明の実施形態１〜実施形態５に記載の機能を有するように構成される。本実施形態の具体的な内容は、本発明の実施形態１〜実施形態５に記載された内容と同じであり、ここではこれ以上説明しない。
【０１７５】
実施形態７
本発明の実施形態７では、コンピュータプログラム製品が提供される。本コンピュータプログラム製品はコンピュータプログラムコードを含む。コンピュータプログラムコードが処理ユニットによって実行されると、処理ユニットは、本発明の実施形態１〜実施形態５に記載された内容を実行するものであり、ここではその内容はこれ以上繰り返さない。
【０１７６】
当業者であれば理解できるように、本発明の実施形態は、方法、装置（機器）又はコンピュータプログラム製品として提供されてよい。したがって、本発明は、ハードウェアのみの実施形態、ソフトウェアのみの実施形態、又はソフトウェアとハードウェアの組合わせを備えた実施形態を採用することができる。更に、本発明は、コンピュータ使用可能なプログラムコードを含む、１つ以上のコンピュータ使用可能な記憶媒体（ディスクメモリ、ＣＤ−ＲＯＭ、光メモリ等を含むが、これに限定されない）上に実装されるコンピュータプログラム製品の形態を採用することができる。
【０１７７】
本発明は、本発明の実施形態に従って、方法、装置（機器）及びコンピュータプログラム製品のフローチャート及び／又はブロック図を参照して説明された。フローチャート及び／又はブロック図における各プロセス及び／又は各ブロックと、フローチャート及び／又はブロック図におけるプロセス及び／又はブロックの組合わせを実装するために、コンピュータプログラム命令を採用できることを理解されたい。このようなコンピュータプログラム命令は、汎用コンピュータ、専用コンピュータ、組込みプロセッサ、又は任意の他のプログラマブルデータ処理装置のプロセッサに提供されてよく、それにより、コンピュータ又は任意の他のプログラマブルデータ処理装置のプロセッサによって実行される命令は、フローチャートの１つ以上のプロセス及び／又はブロック図の１つ以上のブロックにおいて特定の機能を実装するための装置を生成する。
【０１７８】
そのようなコンピュータプログラム命令はまた、コンピュータ又は任意の他のプログラマブルデータ処理装置に特定の方式で動作するように指示することのできるコンピュータ可読メモリに記憶されてもよい。よって、コンピュータ可読メモリに記憶された命令は、命令装置を含むアーチファクトを生成する。命令装置は、フローチャートの１つ以上のプロセス及び／又はブロック図の１つ以上のブロックにおける特定の機能を実現する。
【０１７９】
そのようなコンピュータプログラム命令はまた、コンピュータその他のプログラマブルデータ処理装置にロードされてもよい。よって、一連の動作及びステップがコンピュータその他のプログラマブル装置上で実行され、それによりコンピュータ実施処理が生成される。したがって、コンピュータその他のプログラマブル装置上で実行される命令は、フローチャートの１つ以上のプロセス及び／又はブロック図の１つ以上のブロックにおいて特定の機能を実現するステップを提供する。
【０１８０】
本発明のいくつかの好ましい実施形態について説明したが、当業者であれば、基本的な発明概念を学べば、これらの実施形態を変更及び修正することができるであろう。したがって、添付の特許請求の範囲は、本発明の範囲に含まれる好ましい実施形態と全ての変更及び修正を包含するように解釈されることが意図される。
【０１８１】
当然ながら、当業者であれば、本発明の精神及び範囲から逸脱することなく、本発明に対して様々な変更及び変形を行うことができるであろう。本発明は、添付の特許請求の範囲とそれらの均等の技術によって規定される保護の範囲に含まれるという条件で、これらの修正及び変形を包含することが意図される。
【図１】
0006517335.tif 000006
【図２】
0006517335.tif 000007
【図３】
0006517335.tif 000008
【図４】
0006517335.tif 000009
【図５】
0006517335.tif 000010